(57)【要約】  評価条件に応じて違いがつけられた匂いを提供する香料組成物が提供される。香料組成物は、ａ）２０重量％未満の、２５℃で１５１〜９００マイクログラム／Ｌの間の平衡ヘッドスペース濃度（ＨＳ）を有する香り成分、ｂ）少なくとも３５重量％の、２５℃で９００マイクログラム／Ｌよりも高いＨＳを有する香り成分、およびｃ）２５重量％の、２５℃で１５０マイクログラム／Ｌ以下のＨＳを有する香り成分を包含する。香料組成物は、消費者の該香料製品に対する香り馴化を低減させる。
2019529683.tif 000002
【特許請求の範囲】
【請求項１】
ａ）  フレグランス組成物の２０重量％未満が、２５℃で１５１〜９００マイクログラム／Ｌの間の平衡ヘッドスペース濃度を有するグループＡ成分として定義された香り成分を含み；および
ｂ）  フレグランス組成物の少なくとも４０重量％が、２５℃で９００マイクログラム／Ｌよりも高い平衡ヘッドスペース濃度を有するグループＢ成分として定義された香り成分を含み；および
ｃ）  フレグランス組成物の２５重量％よりも多くが、２５℃で約１５０マイクログラム／Ｌ以下の平衡ヘッドスペース濃度を有するグループＣ成分として定義された香り成分を含む；
ここで、重量パーセント（％）は、組成物中に含有される香料成分の総量を指す、ことを特徴とする、フレグランス組成物。
【請求項２】
香り成分の１５重量％よりも多くが、適用の湿潤段階の間に知覚可能であるグループＢ成分であり；および、香り成分の１５重量％よりも多くが、適用の乾燥段階の間に知覚可能であるグループＣ成分である、請求項１に記載のフレグランス組成物。
【請求項３】
１５重量％よりも多くの、適用の湿潤段階の間に知覚可能であるグループＢ成分と；１５重量％よりも多くの、適用の乾燥段階の間に知覚可能であるグループＣ成分とが、互いに対立した匂い特性を有する、請求項１または２に記載のフレグランス組成物。
【請求項４】
互いに対立した匂いの特徴が、
ａ）  フルーティーな匂い、グリーンの匂い、および／またはハーバル／芳香性の匂いを有するグループＢ成分；および
ｂ）  アンバー／ウッディな匂い；フローラルの匂い、スイートな匂い、ムスキーな匂い、および／またはフルーティーな匂いを有するグループＣ成分によって提供される、請求項３に記載のフレグランス組成物。
【請求項５】
互いに対立した匂いの特徴が、
ａ）  フローラルの匂いを有するグループＢ成分；および
ｃ）  アンバー／ウッディな匂い、スイートな匂い、ムスキーな匂い、および／またはフルーティーな匂いを有するグループＣ成分によって提供される、請求項３に記載のフレグランス組成物。
【請求項６】
フルーティーな匂いが、ヘキサン酸アリル（例えば、ALLYL CAPROATE）；ヘキサン酸エチル（例えば、ETHYL CAPROATE）；ヘプタン酸アリル（例えば、ALLYL OENANTHATE）；酢酸３−メチルブチル（例えば、ISOAMYL ACETATE）；酢酸３−メチルブタ−２−エン−１−イル（例えば、PRENYL ACETATE）；ブタン酸ペンチル（例えば、AMYL BUTYRATE）；６−メチルヘプタン−３−オン（例えば、ETHYL ISOAMYL KETONE）；ブタン酸３−メチルブチル（例えば、ISOAMYL BUTYRATE）；２−メチルプロパン酸４−メチルペンタ−４−エン−２−イル（例えば、ISOPENTYRATE）；ヘプタン−２−オン（例えば、METHYL AMYL KETONE）；ブタン酸エチル（例えば、ETHYL BUTYRATE）；２−メチルペンタン酸エチル（例えば、MANZANATE）；２−メチルブタン酸エチル（例えば、ETHYL METHYL-2-BUTYRATE）；（４Ｓ）−４，７，７−トリメチル−６−チアビシクロ［３．２．１］オクタン（例えば、CORPS PAMPLEMOUSSE）；２−メチル−４−プロピル−１，３−オキサチアン（例えば、OXANE）；炭酸（Ｚ）−ヘキサ−３−エン−１−イルメチル（例えば、LIFFAROME）；酢酸（Ｚ）−ヘキサ−３−エン−１−イル（例えば、HEXENYL-3-CIS ACETATE）；酢酸へキシル（例えば、ACETATE C 6 HEXYLIC）；２，６−ジメチルヘプタ−５−エナール（例えば、MELONAL）；ベンズアルデヒド；およびそれらの混合物、からなる群から選択されるグループＢの香り成分によって提供される、請求項４に記載のフレグランス組成物。
【請求項７】
シトラス／アルデヒド性の匂いが、３，７−ジメチルオクタ−６−エナール（例えば、CITRONELLAL）；４，７−ジメチルオクタ−６−エン−３−オン（例えば、DIMETHYL OCTENONE）；６，６−ジメトキシ−２，５，５−トリメチルヘキサ−２−エン（例えば、METHYL PAMPLEMOUSSE）；1-フェニルエタンチオール(例えば、ANJERUK）；１−メチル−４−（プロパ−１−エン−２−イル）シクロヘキサ−１−エン（例えば、DIPENTENE）；（４Ｒ）−１−メチル−４−（１−メチルビニル）シクロヘキセン（例えば、LIMONENE LAEVO）；１−メチル−４−（プロパン−２−イリデン）シクロヘキサ−１−エン（例えば、TERPINOLENE）；オクタナール（例えば、ALDEHYDE C 8 OCTYLIC）；ノナナール（例えば、ALDEHYDE C 9 NONYLIC）；３，５，５−トリメチルヘキサナール（例えば、ALDEHYDE C 9 ISONONYLIC）；（Ｅ）−デカ−４−エナール（例えば、DECENAL-4-TRANS）；デカナール（例えば、ALDEHYDE C 10 DECYLIC）；ヘプタナール（例えば、ALDEHYDE C 7 HEPTYLIC）；およびそれらの混合物、からなる群から選択されるグループＢの香り成分によって提供される、請求項４に記載のフレグランス組成物。
【請求項８】
グリーンの匂いが、ヘキサナール（例えば、ALDEHYDE C 6 HEXYLIC）；（Ｚ）−ヘキサ−３−エン−１−オール（例えば、HEXENOL-3-CIS）；４−ビニルシクロヘキサ−１−エンカルバルデヒド（例えば、SHISOLIA）；２，４−ジメチルシクロヘキサ−３−エンカルバルデヒド（例えば、CYCLAL C）；２，４−ジメチルシクロヘキサ−３−エンカルバルデヒド（例えば、TRICYCLAL）；７−メチル−３−メチレンオクタ−１，６−ジエン（例えば、MYRCENE）；（３Ｅ，５Ｚ）−ウンデカ−１，３，５−トリエン（例えば、UNDECATRIENE）；（２Ｅ，６Ｚ）−ノナ−２，６−ジエナール（例えば、NONADIENAL）；４−メチル−２−（２−メチルプロパ−１−エン−１−イル）テトラヒドロ−２Ｈ−ピラン（例えば、ROSE OXIDE）；およびそれらの混合物、からなる群から選択されるグループＢの香り成分によって提供される、請求項４に記載のフレグランス組成物。
【請求項９】
ハーバル／芳香性の匂いが、酢酸（２Ｓ）−１，３，３−トリメチルビシクロ［２．２．１］ヘプタン−２−イル（例えば、FENCHYL ACETATE）；（１Ｓ，２Ｒ，４Ｒ）−１，３，３−トリメチルビシクロ［２．２．１］ヘプタン−２−オール（例えば、FENCHYL ALCOHOL）；（１Ｓ，４Ｓ）−１，７，７−トリメチルビシクロ［２．２．１］ヘプタン−２−オン（例えば、CAMPHOR）；酢酸（２Ｓ，４Ｓ）−１，７，７−トリメチルビシクロ［２．２．１］ヘプタン−２−イル（例えば、BORNYL ACETATE LIQUID）；２，６，６−トリメチルビシクロ［３．１．１］ヘプタ−２−エン（例えば、PINENE ALPHA）；６，６−ジメチル−２−メチレンビシクロ［３．１．１］ヘプタン（例えば、PINENE BETA）；１−メチル−４−プロパン−２−イルベンゼン（例えば、CYMENE PARA）；１−メチル−４−プロパン−２−イルシクロヘキサ−１，４−ジエン（例えば、TERPINENE GAMMA）；２，２，６−トリメチル−６−ビニルテトラヒドロ−２Ｈ−ピラン（例えば、LIMETOL）；酢酸３，７−ジメチルオクタ−１，６−ジエン−３−イル（例えば、LINALYL ACETATE）；２，６−ジメチルオクタ−７−エン−２−オール（例えば、DIMYRCETOL）；（１ｓ，４ｓ）−１，３，３−トリメチル−２−オキサビシクロ［２．２．２］オクタン（例えば、EUCALYPTOL）；２−（sec−ブチル）シクロヘキサノン（例えば、FRESKOMENTHE）；２−イソプロピル−５−メチルシクロヘキサノン（例えば、MENTHONE）；２−イソプロピル−５−メチルシクロヘキサノン（例えば、ISOMENTHONE DL）；およびそれらの混合物、からなる群から選択されるグループＢの香り成分によって提供される、請求項４に記載のフレグランス組成物。
【請求項１０】
フローラルの匂いが、２−ヒドロキシ安息香酸メチル（例えば、METHYL SALICYLATE）；酢酸ベンジル（例えば、BENZYL ACETATE）；１−フェニルエタノン（例えば、ACETOPHENONE）；２，６−ジメチルオクタ−７−エン−２−オール（例えば、DIHYDRO MYRCENOL）；２，６−ジメチルヘプタン−２−オール（例えば、DIMETOL）；３，７−ジメチルオクタ−１，６−ジエン−３−オール（例えば、LINALOOL）；３，７−ジメチルオクタン−３−オール（例えば、TETRAHYDRO LINALOOL）；安息香酸メチル（例えば、安息香酸メチル）；１−メトキシ−４−メチルベンゼン（例えば、CRESYL METHYL ETHER PARA）；２−（２−ヒドロキシプロパン−２−イル）−５−メチルシクロヘキサノール（例えば、GERANODYLE）；（Ｚ）−３，４，５，６，６−ペンタメチルヘプタ−３−エン−２−オン（例えば、KOAVONE）；およびそれらの混合物、からなる群から選択されるグループＢの香り成分によって提供される、請求項５に記載のフレグランス組成物。
【請求項１１】
フローラルの匂いが、４−（２，６，６−トリメチルシクロヘキサ−１−エン−１−イル）ブタン−２−オン（例えば、DIHYDRO IONONE BETA）；７，９−ジメチルスピロ［５．５］ウンデカン−３−オン（例えば、DISPIRONE）；（Ｅ）−４−（２，６，６−トリメチルシクロヘキサ−１−エン−１−イル）ブタ−３−エン−２−オン（例えば、IONONE BETA）；（Ｅ）−４−（２，５，６，６−テトラメチルシクロヘキサ−２−エン−１−イル）ブタ−３−エン−２−オン（例えば、IRONE ALPHA）；（Ｅ）−３−メチル−４−（２，６，６−トリメチルシクロヘキサ−２−エン−１−イル）ブタ−３−エン−２−オン（例えば、ISORALDEINE 70）；２−（メチルアミノ）安息香酸メチル（例えば、DIMETHYL ANTHRANILATE）；２−アミノ安息香酸メチル（例えば、METHYL ANTHRANILATE）；１−（２−ナフタレニル）−エタノン（例えば、ORANGER CRYSTALS）；２−エトキシナフタレン（例えば、NEROLINE CRYSTALS）；２−メトキシナフタレン（例えば、YARA YARA）；（４−メトキシフェニル）メタノール（例えば、ANISYL ALCOHOL）；２−ヘキシルシクロペンタ−２−エノン（例えば、ISOJASMONE T）；（Ｚ）−３−メチル−２−（ペンタ−２−エン−１−イル）シクロペンタ−２−エノン（例えば、JASMONE CIS）；（Ｚ）−６−（ペンタ−２−エン−１−イル）テトラヒドロ−２Ｈ−ピラン−２−オン（例えば、JASMIN LACTONE DELTA）；２−ヒドロキシ安息香酸ペンチル（例えば、AMYL SALICYLATE）；２−ヒドロキシ安息香酸ヘキシル（例えば、HEXYL SALICYLATE）；２−ヒドロキシ安息香酸（４Ｚ）−ヘプタ−４−エン−２−イル（例えば、KARMAFLOR）；２−ヒドロキシ安息香酸ベンジル（例えば、BENZYL SALICYLATE）；４−シクロヘキシル−２−メチルブタン−２−オール（例えば、CORANOL）；テトラヒドロ−４−メチル−２−（２−メチルプロピル）−２Ｈ−ピラン−４−オール（例えば、FLOROSA HC）；（４Ｅ）−９−ヒドロキシ−５，９−ジメチル−４−デカナール（例えば、MAHONIAL）；３−（４−イソプロピルフェニル）−２−メチルプロパナール（例えば、CYCLAMEN ALDEHYDE）；３−（４−（tert−ブチル）フェニル）プロパナール（例えば、BOURGEONAL）；３−（ベンゾ［ｄ］［１，３］ジオキソール−５−イル）−２−メチルプロパナール（例えば、TROPIONAL）；（Ｅ）−４−（（３ａＳ，７ａＳ）−ヘキサヒドロ−１Ｈ−４，７−メタノインデン−５（６Ｈ）−イリデン）ブタナール（例えば、DUPICAL）；３−（４−エチルフェニル）−２，２−ジメチルプロパナール（例えば、FLORALOZONE）；テトラヒドロ−４−メチル−２−（２−メチルプロピル）−２Ｈ−ピラン−４−オール（例えば、FLOROSA）；３−（４−（tert−ブチル）フェニル）−２−メチルプロパナール（例えば、LILIAL）；２，２−ジメチル−３−（ｍ−トリル）プロパン−１−オール（例えば、MAJANTOL）；４−（４−メチルペンタ−３−エン−１−イル）シクロヘキサ−３−エンカルバルデヒド（例えば、MYRALDENE）；デカ−９−エン−１−オール（例えば、ROSALVA）；３−（３−イソプロピルフェニル）ブタナール（例えば、FLORHYDRAL）；３−（４−イソブチル−２−メチルフェニル）プロパナール（例えば、NYMPHEAL）；（Ｅ）−３−フェニルプロパ−２−エン−１−オール（例えば、CINNAMIC ALCOHOL）；３−フェニルプロパン−１−オール（例えば、PHENYL PROPYL ALCOHOL）；（１−メチル−２−（５−メチルヘキサ−４−エン−２−イル）シクロプロピル）メタノール（例えば、ROSYFOLIA）；３，７−ジメチルオクタ−６−エン−１−オール（例えば、CITRONELLOL）；（Ｅ）−３，７−ジメチルオクタ−２，６−ジエン−１−オール（例えば、GERANIOL）；３−メチル−５−フェニルペンタン−１−オール（例えば、MEFROSOL）；酢酸２，２，２−トリクロロ−１−フェニルエチル（例えば、ROSACETOL）；２−シクロヘキシリデン−２−フェニルアセトニトリル（例えば、PEONILE）；２−メチル−４−フェニルブタン−２−オール（例えば、DIMETHYL PHENYL ETHYL CARBINOL））；およびそれらの混合物、からなる群から選択されるグループＣの香り成分によって提供される、請求項４に記載のフレグランス組成物。
【請求項１２】
ウッディ／アンバーの匂いが、３−メトキシ−５−メチルフェノール（例えば、ORCINYL 3）；（Ｚ）−１−（シクロオクタ−３−エン−１−イル）プロパン−１−オール（例えば、FLORYMOSS）；２，４−ジヒドロキシ−３，６−ジメチル安息香酸メチル（例えば、EVERNYL）；（１−メチル−２−（（（１Ｒ，３Ｒ）−２，２，３−トリメチルシクロペンチル）メチル）シクロプロピル）メタノール（例えば、PASHMINOL）；７−メトキシ−３，７−ジメチルオクタン−２−オール（例えば、OSYROL）；（Ｅ）−２−メチル−４−（２，２，３−トリメチル−１−シクロペンタ−３−エニル）ブタ−２−エン−１−オール（例えば、BRAHMANOL F）；（Ｅ）−３−メチル−５−（２，２，３−トリメチルシクロペンタ−３−エン−１−イル）ペンタ−４−エン−２−オール（例えば、EBANOL）；（１−メチル−２−（（１，２，２−トリメチルビシクロ［３．１．０］ヘキサン−３−イル）メチル）シクロプロピル）メタノール（例えば、JAVANOL）；（Ｅ）−３，３−ジメチル−５−（２，２，３−トリメチル−３−シクロペンテン−１−イル）−４−ペンテン−２−オール（例えば、POLYSANTOL）；（Ｅ）−２−エチル−４−（２，２，３−トリメチルシクロペンタ−３−エン−１−イル）ブタ−２−エン−１−オール（例えば、RADJANOL)；３−（（１Ｒ，２Ｓ，４Ｒ，６Ｒ）−５，５，６−トリメチルビシクロ［２．２．１］ヘプタン−２−イル）シクロヘキサノール（例えば、SANDELA CONCENTRATED）；（Ｅ）−２−メチル−４−（２，２，３−トリメチル−１−シクロペンタ−３−エニル）ブタ−２−エン−１−オール（例えば、SANTACORE）；３−メチル−５−（２，２，３−トリメチルシクロペンタ−３−エン−１−イル）ペンタン−２−オール（例えば、SANDALORE）；酢酸４−（tert−ブチル）シクロヘキシル（例えば、BUTYL CYCLOHEXYL ACETATE PARA）；酢酸２−（tert−ペンチル）シクロヘキシル（例えば、CONIFERAN）；酢酸２−（４−メチルシクロヘキシル）プロパン−２−イル（例えば、 MENTHANYL ACETATE）；（１Ｓ，２Ｒ，５Ｒ）−２−エトキシ−２，６，６−トリメチル−９−メチレンビシクロ［３．３．１］ノナン（例えば、BOISIRIS）；（（１Ｓ，８ａＲ）−１，４，４−トリメチル−２，３，３ａ，４，５，８−ヘキサヒドロ−１Ｈ−５，８ａ−メタノアズレン−６−イル）メタノール（例えば、CEDRENOL）；酢酸（１Ｓ，６Ｒ，８ａＲ）−１，４，４，６−テトラメチルオクタヒドロ−１Ｈ−５，８ａ−メタノアズレン−６−イル（例えば、CEDRYL ACETATE CRYSTALS）；酢酸２−（３，８−ジメチル−１，２，３，４，５，６，７，８−オクタヒドロアズレン−５−イル）プロパン−２−イル（例えば、GUAIYL ACETATE）；１−（２，３，８，８−テトラメチル−１，２，３，４，５，６，７，８−オクタヒドロナフタレン−２−イル）エタノン（例えば、ISOCYCLEMONE E）；１−（２，３，８，８−テトラメチル−１，２，３，４，５，６，７，８−オクタヒドロナフタレン−２−イル）エタノン（例えば、ISO E SUPER）；４−（１−エトキシビニル）−３，３，５，５−テトラメチルシクロヘキサノン（例えば、KEPHALIS）；１−（１，２，８，８−テトラメチル−１，２，３，４，５，６，７，８−オクタヒドロナフタレン−２−イル）エタノン（例えば、GEORGYWOOD）；１−（（１Ｓ���８ａＳ）−１，４，４，６−テトラメチル−２，３，３ａ，４，５，８−ヘキサヒドロ−１Ｈ−５，８ａ−メタノアズレン−７−イル）エタノン（例えば、METHYL CEDRYL KETONE）；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、VERTOFIX COEUR）；Ｎ−エチル−Ｎ−（ｍ−トリル）プロピオンアミド（例えば、AGARBOIS）；１−（（２−（tert−ブチル）シクロヘキシル）オキシ）ブタン−２−オール（例えば、AMBER CORE）；３，８，８，１１ａ−テトラメチルドデカヒドロ−１Ｈ−３，５ａ−エポキシナフト［２，１−ｃ］オキセピン（例えば、AMBERKETAL）；（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソール（例えば、AMBROCENIDE）；(エトキシメトキシ)シクロドデカン（例えば、BOISAMBRENE FORTE）；（４Ｚ，８Ｚ）−１，５，９−トリメチル−１３−オキサビシクロ［１０．１．０］トリデカ−４，８−ジエン（例えば、CEDROXYDE）；２−（２−（３，３，５−トリメチルシクロヘキシル）アセチル）シクロペンタノン（例えば、DIONE）；３ａ−エチル−６，６，９ａ−トリメチルドデカヒドロナフト［１，２−ｃ］フラン（例えば、GRISALVA）；５−（sec−ブチル）−２−（２，４−ジメチルシクロヘキサ−３−エン−１−イル）−５−メチル−１，３−ジオキサン（例えば、KARANAL）；酢酸２−（sec−ブチル）−１−メチルシクロヘキシル（例えば、METAMBRATE）；２，４−ジメチル−２−（５，５，８，８−テトラメチル−５，６，７，８−テトラヒドロナフタレン−２−イル）−１，３−ジオキソラン（例えば、OKOUMAL）；１−（２，２，６−トリメチルシクロヘキシル）ヘキサン−３−オール（例えば、TIMBEROL）；２’，２’，３，７，７−ペンタメチルスピロ［ビシクロ［４．１．０］ヘプタン−２，５’−［１，３］ジオキサン］（例えば、SPIRAMBRENE）；酢酸（７，７，８，８−テトラメチルオクタヒドロ−２，３ｂ−メタノシクロペンタ［１，３］シクロプロパ［１，２］ベンゼン−４−イル）メチル（例えば、AMBORYL ACETATE）；（１Ｒ，２Ｓ，４Ｒ）−２’−イソプロピル−１，７，７−トリメチルスピロ［ビシクロ［２．２．１］ヘプタン−２，４’−［１，３］ジオキサン］（例えば、BELAMBRE）；（１Ｒ，６Ｓ，８ａＳ）−６−メトキシ−１，４，４，６−テトラメチルオクタヒドロ−１Ｈ−５，８ａ−メタノアズレン（例えば、CEDRYL METHYL ETHER）；ギ酸２，４ａ，５，８ａ−テトラメチル−１，２，３，４，４ａ，７，８，８ａ−オクタヒドロナフタレン−１−イル（例えば、OXYOCTALINE FORMATE）；パチュリー油；４，８ａ，９，９−テトラメチルデカヒドロ−１，６−メタノナフタレン−１−オール（例えば、PATCHOULI ALCOHOL）；およびそれらの混合物、からなる群から選択されるグループＣの香り成分によって提供される、請求項４または５に記載のフレグランス組成物。
【請求項１３】
スイートな匂いが、２Ｈ−クロメン−２−オン（例えば、COUMARIN）；オクタヒドロ−２Ｈ−クロメン−２−オン（例えば、BICYCLO NONALACTONE）；３−ヒドロキシ−２−メチル−４Ｈ−ピラン−４−オン（例えば、MALTOL）；２−エチル−３−ヒドロキシ−４Ｈ−ピラン−４−オン（例えば、ETHYL MALTOL）；ベンゾ［ｄ］［１，３］ジオキソール−５−カルバルデヒド（例えば、HELIOTROPINE）；イソブタン酸４−ホルミル−２−メトキシフェニル(例えば、ISOBUTAVAN）；３−エトキシ−４−ヒドロキシベンズアルデヒド（例えば、ETHYL VANILLIN）；４−アリル−２−メトキシフェノール（例えば、EUGENOL）；（Ｅ）−２−メトキシ−４−（プロパ−１−エン−１−イル）フェノール（例えば、ISOEUGENOL）；酢酸４−アリル−２−メトキシフェニル（例えば、EUGENYL ACETATE）；（Ｅ）−１，２−ジメトキシ−４−（プロパ−１−エン−１−イル）ベンゼン（例えば、METHYL ISOEUGENOL）；２−メトキシ−４−プロピルフェノール（例えば、DIHYDRO EUGENOL）；３−フェニルプロパ−２−エン酸３−フェニルプロパ−２−エニル（例えば、CINNAMYL CINNAMATE）；（２Ｅ）−３−フェニルプロパ−２−エナール（例えば、CINNAMIC ALDEHYDE）；（Ｅ）−３−フェニルプロパ−２−エンニトリル（例えば、CINNAMALVA）；およびそれらの混合物、からなる群から選択されるグループＣの香り成分によって提供される、請求項４または５に記載のフレグランス組成物。
【請求項１４】
ムスキーな匂いが、（Ｚ）−オキサシクロヘプタデカ−１０−エン−２−オン（例えば、AMBRETTOLIDE）；（Ｚ）−シクロヘプタデカ−９−エノン（例えば、CIVETTONE）；（Ｚ）−３−メチルシクロテトラデカ−５−エノン（例えば、COSMONE）；１，４−ジオキサシクロヘプタデカン−５，１７−ジオン（例えば、ETHYLENE BRASSYLATE）；４，６，６，７，８，８−ヘキサメチル−１，３，４，６，７，８−ヘキサヒドロシクロペンタ［ｇ］イソクロメン（例えば、GALAXOLIDE）；（Ｅ）−オキサシクロヘキサデカ−１２−エン−２−オン（例えば、HABANOLIDE）；（Ｚ）−３−メチルシクロペンタデカ−５−エノン（例えば、MUSCENONE）；１，４−ジオキサシクロヘキサデカン−５，１６−ジオン（例えば、MUSK C14）；（Ｅ）−１３−メチルオキサシクロペンタデカ−１０−エン−２−オン（例えば、NIRVANOLIDE）；シクロプロパンカルボン酸２−（１−（３，３−ジメチルシクロヘキシル）エトキシ）−２−メチルプロピル（例えば、SERENOLIDE）；シクロプロパンカルボン酸（Ｅ）−２−（（３，５−ジメチルヘキサ−３−エン−２−イル）オキシ）−２−メチルプロピル（例えば、SYLKOLIDE）；オキサシクロヘキサデカン−２−オン（例えば、THIBETOLIDE）；（Ｚ）−シクロヘキサデカ−５−エノン（例えば、VELVIONE）；１，１，２，３，３−ペンタメチル−２，３，６，７−テトラヒドロ−１Ｈ−インデン−４（５Ｈ）−オン（例えば、CASHMERAN）；１ａ，３，３，４，６，６−ヘキサメチル−１ａ，２，３，４，５，６，７，７ａ−オクタヒドロナフト［２，３−ｂ］オキシレン（例えば、MOXALONE）；シクロペンタデカノン（例えば、MUSK CPD）；１−オキサシクロヘプタデカン−２−オン（例えば、DIHYDRO AMBRETTOLIDE）；およびそれらの混合物、からなる群から選択されるグループＣの香り成分によって提供される、請求項４または５に記載のフレグランス組成物。
【請求項１５】
フルーティーな匂いが、６−ペンチルテトラヒドロ−２Ｈ−ピラン−２−オン（例えば、DECALACTONE DELTA）；５−ヘキシルオキソラン−２−オン（例えば、DECALACTONE GAMMA）；６−ヘプチルテトラヒドロ−２Ｈ−ピラン−２−オン（例えば、DODECALACTONE DELTA）；５−オクチルオキソラン−２−オン（例えば、DODECALACTONE GAMMA）；６−ヘキシルテトラヒドロ−２Ｈ−ピラン−２−オン（例えば、UNDECALACTONE DELTA）；６−プロピルテトラヒドロ−２Ｈ−ピラン−２−オン（例えば、OCTALACTONE DELTA）；５−ペンチルジヒドロフラン−２（３Ｈ）−オン（例えば、PRUNOLIDE）；４−メチル−５−ペンチルジヒドロフラン−２（３Ｈ）−オン（例えば、METHYL TUBERATE）；６−アセトキシヘキサン酸エチル（例えば、BERRYFLOR）；４−（４−ヒドロキシフェニル）ブタン−２−オン（例えば、RASPBERRY KETONE）；エチルメチルフェニルグリシダート（例えば、STRAWBERRY）；ブタン酸２−メチル−１−フェニルプロパン−２−イル（例えば、DIMETHYL BENZYL CARBINYL BUTYRATE）；（Ｅ）−１−（２，６，６−トリメチルシクロヘキサ−１−エン−１−イル）ブタ−２−エン−１−オン（例えば、DAMASCONE BETA）；およびそれらの混合物、からなる群から選択されるグループＣの香り成分によって提供される、請求項４または５に記載のフレグランス組成物。
【請求項１６】
請求項１〜１５のいずれかに定義されたとおりのフレグランス組成物を含む、消費者製品。
【請求項１７】
圧縮された香料（compacted perfume）が、消費者製品の０．０５〜５重量％、特に０．１〜２．５重量％、およびさらに特には０．２５〜２重量％のレベルで存在する、請求項１６に記載の消費者製品。
【請求項１８】
０．０５〜２重量％の請求項１〜１５のいずれかに定義されたとおりのフレグランス組成物、１〜２５重量％、または、好ましくは２〜２０重量％のアニオン性および／または非イオン性界面活性剤、１〜１０重量％の１種以上の石鹸、１〜１５重量％、好ましくは２〜１０重量％の１種以上のアルカリ性源、１〜１０重量％の１種以上の無機ビルダー、０〜２重量％の有機ビルダー、０．０００１〜０．５重量％の１種以上の保存料（単数または複数）；および任意に、５重量％までの１種以上の水溶性溶媒（単数または複数）、クエン酸、トリエタノールアミン、水酸化ナトリウム、水酸化カリウム、アンモニア、および／または油分を、典型的に含む、汎用クリーナー（ＡＰＣ）。
【請求項１９】
基材に２つの知覚できるほどに異なる匂い印象を提供することによって該香料製品に対する消費者の香り馴化（perfume habituation）を低減するための、香り付けされた製品を基材に適用する方法であって、ここで、第１の匂い印象は、香り付けされた製品の基材への適用の間に知覚され、第２の匂い印象は、香り付けされた製品が基材上で乾燥した後で知覚されるものであり、該方法は、処理を必要とする基材に、請求項１〜１５のいずれかに定義されたとおりのフレグランス組成物を含有する香り付けされた製品を適用するステップを含むものである、前記方法。
【発明の詳細な説明】
【技術分野】
【０００１】
本発明の分野
本開示は、評価条件に応じて違いがつけられた匂いを提供する香り付けされた製品に関する。特に、本開示は、匂いが初期に湿潤条件下で評価されるかある程度の時間の後で乾燥条件下で評価されるかに応じて、なおも同じ強度を有しながらも有意に異なる匂いを提供する香り付けされた製品に関する。
【背景技術】
【０００２】
本発明の背景
香り付けされた製品の一つの追及される恩恵は、使用の間の驚くべき嗅覚的効果の生成である。
これらの驚くべき嗅覚的効果は、粉末洗剤等の固形の製品の水中への溶解、および選択された匂い物質のそれと同時の放出の結果として生じ得、製品の適用の間に使用者に快適な嗅覚的体験を提供し、製品の有効性に関連する嗅覚的な手掛かりという安心感を提供する。
【０００３】
特許出願WO 99/65458 A1は、少なくとも１０重量％の、標準圧力で２７５℃以下の沸点、少なくとも２．０のＣＬｏｇＰ計算値、および５０ｐｐｂ以下の匂い検出閾値（ＯＤＴ）を有するフレグランス成分、ならびに少なくとも３０重量％の、標準圧力で２７５℃以上の沸点、少なくとも４．０のＣＬｏｇＰ計算値、および５０ｐｐｂ以下のＯＤＴを有するフレグランス成分を含む、水溶性の、加工でんぷんベースのマイクロカプセルを開示する。これらのマイクロカプセルには、水と接触して影響力の強い匂いを放出することが意図される。
【０００４】
WO 1997034988 A1は、ガラスおよび硬表面の洗浄組成物を開示する。組成物は、効率的なブルーミング（blooming）香料を含み、０．００１％〜３％のブルーミング香料組成物が、少なくとも５０％の、２６０℃未満の沸点および少なくとも３のＣＬｏｇＰを有する成分からなる群から選択されるブルーミング香料成分を含む（およびここで、前記香料組成物は、少なくとも５つの異なるブルーミング香料成分を含む）ことを特徴とする。しかしながら、この開示は、感覚への恩恵の観点で「ブルーミング香料」が何であるかについての指針を何ら提供しない。
【０００５】
US 5508259 Aは、カプセル化された香料およびカプセル化されていない香料を含み、マイクロカプセルが水中に溶解したときにはっきりと区別できる匂いシグナルが作られるように、カプセル化された香料がカプセル化されていない香料のそれとは異なる匂いの特徴を有する、香料組成物を開示する。ここでもまた、嗅覚的な恩恵は、外部作用の影響下で生まれ、およびマイクロカプセルの使用を必要とする。
【０００６】
高性能の匂い物質を適用における異なる時期に放出するためのマイクロカプセルの使用は、よく知られている。匂いの恩恵の放出は、一般的に、壊れやすいコア−シェルマイクロカプセルの機械的な破裂か、またはわずかに透過性であるカプセル壁を通じた緩慢な拡散によって誘発される。
【０００７】
しかしながら、マイクロカプセルの使用は、常に望ましいわけではない。例として、無色透明な製品中ではマイクロカプセルは見えるものであり得、製品の外観を許容し難くしてしまうことがあり得る。マイクロカプセルは、かかるカプセルを包含するような製品を用いて処理された硬い滑らかな表面の上でもまた、見えるものであり得る。これはとりわけ、硬表面およびガラスのクリーナーの場合にいえる。
【０００８】
US 20030166497 A1は、希釈前の製品に対して相対的に少なくとも２０％のフレグランスバースト（fragrance burst）（ならびに、向上した付着性）を有する組成物を調製するかまたは選択するための過程を開示する。組成物は、該組成物中の香料および界面活性剤が、３未満の「パフュームバーストインデックス（Perfume Burst Index）」（ＰＢＩ）計算値を生じさせるように、選択され、ここでＰＢＩの値はあるアルゴリズムを使用して計算される。一般に、臨界ミセル濃度に達して界面活性剤ミセルが解離するまで界面活性剤系を希釈することにより、バーストが達成されると予想される。
【０００９】
しかしながら、香り付けされた製品で処理された基材が乾燥し始めると、香料に対する知覚は通常減少し、これは、一方では基材上に存在する匂い分子の量の減少、および他方では香料の直線性(すなわち、蒸発過程を通じての一定の香料特徴の維持)、の組み合わせに起因する。直線性は、確立した香料の技術分野の基本である一方、これは消費者の疲労および馴化を生じさせる一因となり、本明細書中上記で言及した感覚知覚の損失に至る。これまでのところ、マイクロカプセルの使用を伴わないこの問題に対する解決策は存在しない。
【００１０】
それゆえに、フレグランス組成物、また特に、評価条件に応じて、知覚できるほどに異なる匂い特性を呈する、マイクロカプセルを含まないフレグランス組成物の必要性がある。特に、フレグランス組成物、また特に、香り付けされた製品の使用または適用の異なる段階で、湿潤段階から、例として、その購入の時点および処理すべき基材上へのその適用から、それが基材上に付着してドライダウンされた（dried down）ときである乾燥段階までを通じて、知覚できるほどに異なる匂い特性を提供する香り付けされた製品における使用のための、マイクロカプセルを含まないフレグランス組成物の必要性がある。
【発明の概要】
【００１１】
従来技術における欠点に対処する中で、本出願人は、驚くべきことに、それらが湿潤段階の条件下で評価されるか乾燥段階の条件下で評価されるかに応じて著しく異なる匂いプロファイルを呈するフレグランス組成物を構築することが可能であるということを見出しており、該フレグランスは、その平衡ヘッドスペース濃度に基づいてグループ分けされたフレグランス成分を、組成物が、相対的に高揮発性である成分のみを含有する第１のグループ、相対的に低揮発性である成分のみを含有する第２のグループ、および中間の平衡ヘッドスペース濃度の成分のみを含有する第３のグループからなる３つの成分のグループを、成分の第３のグループが成分の第１および第２の両方のグループよりも有意に低い分量で存在するように含有するように、選択することによって、構築される。
【００１２】
その上さらに、本出願人は、第１のグループの成分の相当な割合が、成分の第２のグループの相当な割合に対して互いに対立する（その用語は本明細書中下記で定義されるとおりである）匂い特性を持っていたときに、異なる匂い特性は特に顕著であったということを見出した。
【００１３】
したがって、本発明は、第１の側面において、
ａ）２５℃で１５１〜９００マイクログラム／Ｌの間の平衡ヘッドスペース濃度を有する香り成分（以下において「グループＡ」成分）からなる、フレグランス組成物の２０重量％未満；および
ｂ）２５℃で９００マイクログラム／Ｌよりも高い平衡ヘッドスペース濃度を有する香り成分（以下において「グループＢ」成分）からなる、フレグランス組成物の少なくとも３５重量％；および
ｃ）２５℃で１５０マイクログラム／Ｌ以下の平衡ヘッドスペース濃度を有する香り成分（以下において「グループＣ」成分）からなる、フレグランス組成物の少なくとも２５、特に、少なくとも３０、さらに特には少なくとも４０重量％、を含むフレグランス組成物を提供する。
【００１４】
上記ａ）、ｂ）およびｃ）において規定された香り成分は、フレグランス組成物中に含有される香り成分の少なくとも９０重量％、少なくとも９１重量％、少なくとも９２重量％、少なくとも９３重量％、少なくとも９４重量％、少なくとも９５重量％、少なくとも９６重量％、少なくとも９７重量％、少なくとも９８重量％、少なくとも９９重量％、または１００重量％を表し得る。
【００１５】
本発明の一側面において、香り成分の１５重量％よりも多くが、適用の湿潤段階の間に知覚可能であるグループＢ成分であり；および香り成分の１５重量％よりも多くが、適用の乾燥段階の間に知覚可能であるグループＣ成分である、本明細書中で定義されたとおりのフレグランス組成物が提供される。
【００１６】
本発明の一側面において、１５重量％よりも多くの、適用の湿潤段階の間に知覚可能であるグループＢ成分と；１５重量％よりも多くの、適用の乾燥段階の間に知覚可能であるグループＣ成分とが、互いに対立した匂い特性を有する、本明細書中で定義されたとおりのフレグランス組成物が提供される。
【００１７】
本発明の一側面において、フレグランス組成物がカプセル化されていない、本明細書中で定義されたとおりのフレグランス組成物が提供される。
本発明の一側面において、本明細書中で定義されたとおりのフレグランス組成物を含む消費者製品が提供される。
【００１８】
本発明の一側面において、知覚できるほどに異なる二通りの匂い印象を基材に提供するための、香り付けされた製品を基材に適用する方法が提供され、ここで、第１の匂い印象は、香り付けされた製品の基材への適用の間に知覚され、第２の匂い印象は、香り付けされた製品が基材上で乾燥した後で知覚され、前記方法は、本明細書中で定義されたとおりのフレグランス組成物を含有する香り付けされた製品を基材に適用するステップを含む。
【００１９】
本発明の一側面において、香り付けされた製品に対する消費者の香り馴化（perfume habituation）を低減するか、これに抵抗するか、またはこれを解消する方法が提供され、前記方法は、処理を必要とする基材に、本明細書中で定義されたとおりのフレグランス組成物を含有する消費者製品を適用するステップを含む。
【００２０】
これらおよびその他の、具体的な態様の特徴、側面および利点は、本開示の読み取りから、当業者には明白となる。
【図面の簡単な説明】
【００２１】
【図１】本明細書は、本発明を特に指摘して明確に請求する請求項で完結しているが、本発明は、以下の好ましい態様の説明から、添付の図面と併せ読むことにより、よりよく理解されると考えられ、この中で同様の参照番号は同一の要素を特定し、ここで：図１は、グループＡ成分（これ以降、「ミドルノート」ともまた称する）のレベルがグループＢ成分（これ以降、「トップノート」ともまた称する）とグループＣ成分（これ以降、「ボトムノート」ともまた称する）とのレベルの間である、当該技術分野による香料の２つの古典的な構成Ｅ１およびＥ２；ならびに、グループＡ成分のレベルがグループＢおよびグループＣ成分のレベルよりも低い本開示による２つの香料の構成Ｆ１およびＦ２を示す。図１において、相異なるグループに対応する幾何学的図形の表面積は、各々のグループ中に包含される成分の全重量パーセントに比例する。
【発明を実施するための形態】
【００２２】
発明の詳細な記載
マイクログラム／リットル（μｇ／Ｌ）で表現される標準平衡ヘッドスペース濃度（ＨＳ）は、２５℃の温度で１気圧の圧力下における、この成分の凝縮された形態−それは個体または液体の形態である−と平衡状態にある、成分の濃度を指す。それは、当該技術分野における既知の定量的ヘッドスペース分析技術のいずれかを使用して測定することができる。適切な方法は、MuellerおよびLamparskyに、Perfumes: Art, Science and Technology, Chapter 6 「The Measurement of Odors」の１７６〜１７９頁（Elsevier 1991）において記載されている。
【００２３】
ＨＳは、以下のとおりに測定され得る：試験する香り成分５００ｍｇをヘッドスペース容器に加え、これを次に密閉する。容器を次に、化合物が気相と液相との間で平衡状態に達するまで、２５℃一定でインキュベートする。この飽和したヘッドスペースの定められた体積（通常０．５〜１．０リットル）を、ポリ（４−エチルスチレン−コ−ジビニルベンゼン）多孔質材料、例えば、SupelcoからのPorapak（登録商標）Qを、吸着剤として使用して、マイクロフィルター上に捕捉する。適当な溶媒（通常、３０〜１００マイクロリットルのメチルtert−ブチルエーテル）での抽出の後、抽出物のアリコートをＧＣによって分析する。
【００２４】
マイクロフィルターを通して吸引されたヘッドスペース体積、およびガスクロマトグラフ中に注入された濾過済み抽出物のアリコートから、最初のヘッドスペース中における濃度を（μｇ／Ｌの観点で）計算することができる。所与の試験する香り成分の最終ヘッドスペース濃度は、各々の３つの独立した測定の平均値として得られる。本明細書中上記に記載された技術のさらなる情報は、Etzweiler, F.; Senn E.およびNeuner-Jehle N., Ber. Bunsen-Ges. Phys. Chem. 1984, 88, 578-583の記事において見出され得、これは参照により本明細書に組み込まれる。
【００２５】
フレグランス組成物中の香料成分の重量パーセント（％）への本明細書中における言及は、該組成物中に含有される香料成分の総量を基にした香料成分（単数）または香料成分（複数）の濃度に言及するものである。フレグランス組成物が、他の非香料または技術的な成分、例えば溶媒、可溶化剤、安定剤などを含有するのであれば、これらの成分の存在する量は、香料成分の重量パーセンテージ（％）を決定するときに考慮されないものとする。
【００２６】
重量パーセンテージ（％）の計算において考慮されない溶媒は、ジプロピレングリコール（３−（３−ヒドロキシプロポキシ）プロパン−１−オール）；プロピレングリコール（プロパン−１，２−ジオール）；クエン酸トリエチル（２−ヒドロキシプロパン−１，２，３−トリカルボン酸トリエチル）；ミリスチン酸イソプロピル（テトラデカン酸プロパン−２−イル）；ジメチルイソソルビド（３，６−ジメトキシ−２，３，３ａ，５，６，６ａ−ヘキサヒドロフロ［３，２−ｂ］フラン）；水；エタノール；イソプロパノール（エタン−１−オール）；フタル酸ジエチル（ジエチルベンゼン−１，２−ジカルボキシラート）；ジプロピレングリコールジメチルエーテル（１−メトキシ−３−（３−メトキシプロポキシ）プロパン）；ジプロピレングリコールメチルエーテル（３−（３−メトキシプロポキシ）プロパン−１−オール）；ジプロピレングリコールメチルエーテルアセタート（１−（（１−メトキシプロパン−２−イル）オキシ）プロパン−２−イルアセタート）；ジプロピレングリコールｎ−ブチルエーテル（１−（（１−ブトキシプロパン−２−イル）オキシ）プロパン−２−オール）；プロピレングリコールメチルエーテル（１−メトキシプロパン−２−オール）；プロピレングリコールｎ−ブチルエーテル（１−ブトキシプロパン−２−オール）；プロピレングリコールｎ−プロピルエーテル（１−プロポキシプロパン−２−オール）；トリプロピレングリコールメチルエーテル（１−（（１−（（１−メトキシプロパン−２−イル）オキシ）プロパン−２−イル）オキシ）プロパン−２−オール）；ジプロピレングリコールジメチルエーテル（２−メトキシ−１−（（１−メトキシプロパン−２−イル）オキシ）プロパン）；Ｃ８−Ｃ９イソパラフィン、Ｃ８−Ｃ１２イソパラフィン、Ｃ１０−１１イソパラフィン、Ｃ１０−１２イソパラフィン、Ｃ１２−Ｃ１４イソパラフィン、Ｃ１１−Ｃ１６イソパラフィン、Ｃ１２−Ｃ２０イソパラフィンなどのもの等のイソパラフィン系炭化水素油；グルタル酸ジメチル；コハク酸ジメチル；アジピン酸ジメチル；イソプロピリデングリセロール（２，２−ジメチル−１，３−ジオキソラン−４−メタノール）；などを包含する。
【００２７】
重量パーセンテージ（％）の計算において考慮されないものとする安定剤は、BUTYL HYDROXY TOLUENE（２，６−ジ−tert−ブチル−４−メチルフェノール）；などを包含する。
重量パーセンテージ（％）の計算において考慮されないものとする可溶化剤は、界面活性剤、例えば、ポリエチレングリコール−４０水素化ヒマシ油；ジスルホン酸アルキルジフェニルオキシド；Ｎ，Ｎ−ジメチルドデカン−１−アミンオキシドなどのアルキルアミンオキシド；ドデカン酸２−［２−［３，４−ビス（２−ヒドロキシエトキシ）オキソラン−２−イル］−２−（２−ヒドロキシエトキシ）−エトキシ］エチルなどのポリソルビン酸；アルキルアルコールエトキシラート、などを包含する。
【００２８】
本発明に従い、本明細書において定義された様式で構築されたフレグランス組成物は、本出願人の知る限りにおいて、従来技術における慣用のフレグランス組成物の構成とは違っている。図１中、スキームＥ１およびＥ２は、フレグランス組成物が構成される慣用の様式を描き、ここで、高、中および低平衡ヘッドスペース濃度の成分は組成物中において増加または減少していくレベルで存在する。
【００２９】
反対に、スキームＦ１およびＦ２は、本発明のフレグランス組成物の２つの考えられる構成を描く：前者は、トップおよびボトムノート（それぞれグループＢおよびグループＣ成分）が過剰に現れている砂時計型の構成として視覚化することができ、後者は、グループＡ成分およびグループＣ成分と比べてトップノート（グループＢ成分）が過剰に現れており、かつ、グループＡ成分と比べてボトムノート（グループＣ成分）が過剰に現れている、じょうご型として視覚化することができる。両方の構成において、グループＢ成分およびグループＣ成分の両方と比べてミドルノート（それぞれグループＡ成分）の相対的な不足がある。
【００３０】
それにもかかわらず、本出願人は、驚くべきことに、かかる構成を適用することで、バランスが取れており快楽的に快適であり、この快楽的な快適さに加えて評価条件に応じて顕著に異なる匂いの特徴を呈する、本明細書中上記に記載した香料組成物を創り出すことができるということを見出した。
【００３１】
特に、本発明のフレグランス組成物は、匂いが評価されるのが初期の湿潤条件下であるか乾燥条件下であるかに応じて、なおも同じ強度を有しながらも知覚できるほどに異なるような、香り付けされた製品への匂いを提供することができる。これらの異なる知覚は、この香料が知覚されることができる時間中、例えば、１時間以上の間、消費者の香料への馴化を有意に低減させる。
【００３２】
本開示の文脈において、異なる条件下で評価されるフレグランス組成物の匂い特性に関連するものとしての用語「知覚できるほどに異なる」とは、訓練されたパネリストが、第１の条件下での、例えば、該フレグランス組成物を含有する香り付けされた製品の水での希釈の間もしくは希釈後の、または該製品で湿潤された基材上の、所与のフレグランス組成物の匂いを、同じ香り付けされた製品のそれであるが、第２の条件下、例えば該製品が基材上で乾燥した後のものと、はっきりと識別することを可能とすることを意味する。係る条件下では、その差は消費者に気付かれやすいものとみなされ、つまり、消費者の大半が該第１の条件から該第２の条件への匂いの変化を知覚することになる。
【００３３】
匂いを定義するための方法は存在し、これは本発明の文脈において使用することができる。例えば、匂いは、レモンの匂い、ライムの匂い、オレンジの匂いまたはグレープフルーツの匂いなどの場合のような「シトラス／アルデヒド性（CITRUS/ALDEHYDIC）」；アップルの匂い、ピーチの匂い、ベリーの匂いなどの場合のような「フルーティー（FRUITY）」；刈られたばかりの草の匂い、葉の匂いなどの場合のような「グリーン（GREEN）」；樹脂の匂い、テレピンの匂い、藁の匂いなどの場合のような「芳香性／ハーバル（AROMATIC/HERBAL）」；バラの匂い、スズランの匂いなどの場合のような「フローラル（FLORAL）」；サンダルウッドの匂い、シダーの匂い、パチュリーの匂いなどの場合のような「ウッディ（WOODY）」；ムスクの匂いの場合のような「ムスキー（MUSKY）」；またはキャラメルの匂い、バニラの匂い、シナモンの匂いなどの場合のような「スイート（SWEET）」等の予め定義された意味属性を使用することによって定義され得る。
【００３４】
匂いの定義の所望の正確性に応じて、必要であれば、他の意味属性が定義され得る。匂いはまた、意味属性の組み合わせとしても定義され得る。匂いの定義に適切な、これに代替する意味属性の数多くの例が、例えば、S. Arctander, “Perfume and Flavor Chemicals”, Allured Pub. Corp. Wheaton, 1969において、および、www.thegoodscentscompany.com.などのウェブサイト上で、見出され得る。
【００３５】
異なる匂い特性を評価するための適切な手段は、温度、相対湿度、および切り替え可能な換気などの制御された環境条件を有する試験キャビンを使用することである。初期評価（すなわち、湿潤条件下）は、ブルーム評価とも称され、香り付けされた製品をキャビンの床の上に適用した後で初期に、例えば、適用の３または５分後に行われ、一方、乾燥後の評価は適用の約１時間後に行われる。例３は、かかる評価試験を行う典型的な手段を記載している。
【００３６】
本発明に従う、図１、スキームＦ１およびＦ２に描かれているとおりのフレグランス組成物の構築において、出願人は、互いに対立する匂いの方向性によってグループＢおよびグループＣの香り成分を選択することにより、湿潤および乾燥段階の匂い特性間の差を向上させることが可能であるということを見出した。特に、本出願人は、いくつかの匂いの方向性のペアが、匂いの知覚の観点で、他のペアよりもより相対立し、およびそれによって、異なる評価条件下で有意に異なる匂いを生成するためにより適切であるということを見出している。
【００３７】
したがって、本発明の一態様において、フレグランス組成物は、適用の湿潤段階の間に知覚可能であるグループＢ成分；および適用の乾燥段階の間に知覚可能であるグループＣ香料成分を含有し；前記グループＢ成分およびグループＣ成分は、互いに対立する成分のペアから選択される。
【００３８】
本発明のさらに特定の例において、フレグランス組成物は、１５重量％よりも多くの、適用の湿潤段階の間に知覚可能であるグループＢ成分；および１５重量％よりも多くの、乾燥段階の間に知覚可能であるグループＣ香料成分を含有し；ここで、前記グループＢ成分およびグループＣ成分は、互いに対立する成分のペアから選択される。
【００３９】
互いに対立する匂いのクラスのペアが、下記の表１に示されている。括弧の間の成分は、関連した匂い特性を持つものとして熟練したパフューマ―に知られ理解されている具体的な成分の例として示されている。特徴的にいわゆる「ブルーミング」成分であり、湿潤段階の間に知覚可能である、グループＢ成分は、左の列に示されている。特徴的に長持ちする成分であり、乾燥段階の間に知覚可能である、グループＣ成分は、右の列に示されている。互いに対立する匂いのクラスのペアは、行に並べられている。
【００４０】
表１
湿った基材上と乾いた基材上とで比較したとき特に強く相対立する匂いの方向性。
【表１】
2019529683.tif 000003
【００４１】
本発明の１つの態様において、フルーティーな匂いを持つグループＢ成分は、ヘプタン酸アリル（例えば、ALLYL OENANTHATE）、炭酸（Ｚ）−ヘキサ−３−エン−１−イルメチル（例えば、LIFFAROME）、ブタン酸ペンチル（例えば、AMYL BUTYRATE）、２，６−ジメチルヘプタ−５−エナール（例えば、MELONAL）等の、９０１μｇ／Ｌ〜５０００μｇ／Ｌの平衡ヘッドスペース濃度を有するフルーティーな成分；ブタン酸３−メチルブチル（例えば、ISOAMYL BUTYRATE）、ベンズアルデヒド、（４Ｓ）−４，７，７−トリメチル−６−チアビシクロ［３．２．１］オクタン（例えば、CORPS PAMPLEMOUSSE）、酢酸へキシル（例えば、ACETATE C 6 HEXYLIC）、酢酸（Ｚ）−ヘキサ−３−エン−１−イル（例えば、HEXENYL-3-CIS ACETATE）、２−メチルプロパン酸４−メチルペンタ−４−エン−２−イル（例えば、ISOPENTYRATE）等の、５００１μｇ／Ｌ〜１００００μｇ／Ｌの平衡ヘッドスペース濃度を有するフルーティーな成分；２−メチル−４−プロピル−１，３−オキサチアン（例えば、OXANE）、酢酸３−メチルブタ−２−エン−１−イル（例えば、PRENYL ACETATE）、６−メチルヘプタン−３−オン（例えば、ETHYL ISOAMYL KETONE）、２−メチルペンタン酸エチル（例えば、MANZANATE）等の、１０００１μｇ／Ｌ〜２００００μｇ／Ｌの平衡ヘッドスペース濃度を有するフルーティーな成分；および、ヘプタン−２−オン（例えば、METHYL AMYL KETONE）、酢酸３−メチルブチル（例えば、ISOAMYL ACETATE）、２−メチルブタン酸エチル（例えば、ETHYL METHYL-2-BUTYRATE）、およびブタン酸エチル（例えば、ETHYL BUTYRATE）等の、２００００μｇ／Ｌよりも高い平衡ヘッドスペース濃度を有するフルーティーな成分；およびそれらの混合物、からなる群から選択され得る。
【００４２】
本発明の別の態様において、シトラス／アルデヒド性の匂いを持つグループＢ成分は、デカナール（例えば、ALDEHYDE C 10 DECYLIC）、（Ｅ）−デカ−４−エナール（例えば、DECENAL-4-TRANS）、３，７−ジメチルオクタ−６−エナール（例えば、CITRONELLAL）、１−フェニルエタンチオール（例えば、ANJERUK）、６，６−ジメトキシ−２，５，５−トリメチルヘキサ−２−エン（例えば、METHYL PAMPLEMOUSSE）、ノナナール（例えば、ALDEHYDE C 9 NONYLIC）、４，７−ジメチルオクタ−６−エン−３−オン（例えば、DIMETHYL OCTENONE）、オクタナール（例えば、ALDEHYDE C 8 OCTYLIC）等の、９０１μｇ／Ｌ〜５０００μｇ／Ｌの平衡ヘッドスペース濃度を有するシトラス／アルデヒド性の成分；３，５，５−トリメチルヘキサナール（例えば、ALDEHYDE C 9 ISONONYLIC）等の、５００１μｇ／Ｌ〜１００００μｇ／Ｌの平衡ヘッドスペース濃度を有するシトラス／アルデヒド性の成分；１−メチル−４−（プロパ−１−エン−２−イル）シクロヘキサ−１−エン（例えば、DIPENTENE、LIMONENE）、１−メチル−４−（プロパン−２−イリデン）シクロヘキサ−１−エン（例えば、TERPINOLENE）、ヘプタナール（例えば、ALDEHYDE C 7 HEPTYLIC）等の、１０００１μｇ／Ｌよりも高い平衡ヘッドスペース濃度を有するシトラス／アルデヒド性の成分；およびそれらの混合物、からなる群から選択され得る。
【００４３】
本発明の別の態様において、グリーンの匂いを持つグループＢ成分は、（３Ｅ，５Ｚ）−ウンデカ−１，３，５−トリエン（例えば、UNDECATRIENE）、（２Ｅ，６Ｚ）−ノナ−２，６−ジエナール（例えば、NONADIENAL）；２，４−ジメチルシクロヘキサ−３−エンカルバルデヒド（例えば、TRICYCLAL）、４−ビニルシクロヘキサ−１−エンカルバルデヒド（例えば、SHISOLIA）、２，４−ジメチルシクロヘキサ−３−エンカルバルデヒド（例えば、CYCLAL C）、４−メチル−２−（２−メチルプロパ−１−エン−１−イル）テトラヒドロ−２Ｈ−ピラン（例えば、ROSE OXIDE CO）等の、９０１μｇ／Ｌ〜５０００μｇ／Ｌの平衡ヘッドスペース濃度を有するグリーンの成分；（Ｚ）−ヘキサ−３−エン−１−オール（例えば、HEXENOL-3-CIS）、７−メチル−３−メチレンオクタ−１，６−ジエン（例えば、MYRCENE）、ヘキサン−１−オール（例えば、ALDEHYDE C 6 HEXYLIC）等の、５００１μｇ／Ｌよりも高い平衡ヘッドスペース濃度を有するグリーンの成分；およびそれらの混合物、からなる群から選択され得る。
【００４４】
本発明の別の態様において、ハーバル／芳香性の匂いを持つグループＢ成分は、酢酸３，７−ジメチルオクタ−１，６−ジエン−３−イル（例えば、LINALYL ACETATE）、酢酸（２Ｓ，４Ｓ）−１，７，７−トリメチルビシクロ［２．２．１］ヘプタン−２−イル（例えば、BORNYL ACETATE）、２−（sec−ブチル）シクロヘキサノン（例えば、FRESKOMENTHE）、（１Ｓ，２Ｒ，４Ｒ）−１，３，３−トリメチルビシクロ［２．２．１］ヘプタン−２−オール（例えば、FENCHYL ALCOHOL）、２−イソプロピル−５−メチルシクロヘキサノン（例えば、ISOMENTHONE DL）、酢酸（２Ｓ）−１，３，３−トリメチルビシクロ［２．２．１］ヘプタン−２−イル（例えば、FENCHYL ACETATE）、２，６−ジメチルオクタ−７−エン−２−オール（例えば、DIMYRCETOL）、（１Ｓ，４Ｓ）−１，７，７−トリメチルビシクロ［２．２．１］ヘプタン−２−オン（例えば、CAMPHOR）、２−イソプロピル−５−メチルシクロヘキサノン（例えば、MENTHONE）等の、９０１μｇ／Ｌ〜５０００μｇ／Ｌの平衡ヘッドスペース濃度を有するハーバル／芳香性の成分；１−メチル−４−プロパン−２−イルシクロヘキサ−１，４−ジエン（例えば、TERPINENE GAMMA）、１−メチル−４−プロパン−２−イルベンゼン（例えば、CYMENE PARA）等の、５００１μｇ／Ｌ〜１００００μｇ／Ｌの平衡ヘッドスペース濃度を有するハーバル／芳香性の成分；（１ｓ，４ｓ）−１，３，３−トリメチル−２−オキサビシクロ［２．２．２］オクタン（例えば、EUCALYPTOL）、２，２，６−トリメチルｌ−６−ビニルテトラヒドロ−２Ｈ−ピラン（例えば、LIMETOL）、６，６−ジメチル−２−メチレンビシクロ［３．１．１］ヘプタン（例えば、PINENE BETA）、２，６，６−トリメチルビシクロ［３．１．１］ヘプタ−２−エン（例えば、PINENE ALPHA）等の、１００００μｇ／Ｌよりも高い平衡ヘッドスペース濃度を有するハーバル／芳香性の成分；からなる群から選択され得る。
【００４５】
本発明の別の態様において、フローラルの匂いを持つグループＢ成分は、酢酸ベンジル（例えば、BENZYL ACETATE）；２−ヒドロキシ安息香酸メチル（例えば、METHYL SALICYLATE）、３，７−ジメチルオクタン−３−オール（例えば、TETRAHYDRO LINALOOL）、（Ｚ）−３，４，５，６，６−ペンタメチルヘプタ−３−エン−２−オン（例えば、KOAVONE）、２，６−ジメチルオクタ−７−エン−２−オール（例えば、DIHYDRO MYRCENOL）、３，７−ジメチルオクタ−１，６−ジエン−３−オール（例えば、LINALOOL）、２−（２−ヒドロキシプロパン−２−イル）−５−メチルシクロヘキサノール（例えば、GERANODYLE）等の、９０１μｇ／Ｌ〜１５００μｇ／Ｌの平衡ヘッドスペース濃度を有するフローラルの成分；１−フェニルエタノン（例えば、ACETOPHENONE）、２，６−ジメチルヘプタン−２−オール（例えば、DIMETOL）、安息香酸メチル（例えば、METHYL BENZOATE）等の、１５０１μｇ／Ｌ〜５０００μｇ／Ｌの平衡ヘッドスペース濃度を有するフローラルの成分；１−メトキシ−４−メチルベンゼン（例えば、CRESYL METHYL ETHER PARA）等の、５０００μｇ／Ｌよりも高い平衡ヘッドスペース濃度を有するフローラルの成分；およびそれらの混合物、からなる群から選択され得る。
【００４６】
本明細書中上記に述べたとおり、グループＣ成分と互いに対立するグループＢ成分のレベルは、フレグランス組成物の重量（フレグランス組成物中に存在し得るあらゆる技術的な成分、例えば溶媒、可溶化剤、安定剤などを除く）を基にして１５重量％よりも高く、および特に、２０重量％よりも高いものとすることが好ましい。
【００４７】
同様に、また上でも述べたとおり、フレグランス組成物中における、グループＢ成分と互いに対立するグループＣ成分のレベルは、好ましくは、フレグランス組成物（フレグランス組成物中に存在し得るあらゆる技術的な成分、例えば溶媒、可溶化剤、安定剤などを除く）の１５重量％よりも大きく、特に、２０重量％よりも大きい。
【００４８】
グループＢ成分はまた、２−フェニル−エタナール（例えば、PHENYL ACETALDEHYDE）、（２Ｓ）−２−［（２−メチル−２−ブタニル）オキシ］プロパン酸プロピル（例えば、SCLAREOLATE）、５−メチル−２−（プロパ−１−エン−２−イル）シクロヘキサノール（例えば、ISOPULEGOL）；安息香酸エチル等の、９０１μｇ／Ｌ〜２０００μｇ／Ｌの平衡ヘッドスペース濃度を有する成分；２−メチル−５−プロパン−２−イルシクロヘキサ−１，３−ジエン（例えば、PHELLANDRENE）、オクタン−２−オン（例えば、METHYL HEXYL KETONE）、２−エチル−４−メチル−１，３−チアゾール（例えば、METHYL ISOPROPYL THIAZOL）、オクタン−３−オン（例えば、ETHYL AMYL KETONE）等の、２００１μｇ／Ｌ〜１００００μｇ／Ｌの平衡ヘッドスペース濃度を有する成分；酢酸エチル等の、１００００μｇ／Ｌよりも高い平衡ヘッドスペース濃度を有する成分；およびそれらの混合物、からなる群から選択される、他の匂いを有する成分をも含み得る。
【００４９】
本発明の別の態様において、アンバー／ウッディの匂いを持つグループＣ成分は、２，４−ジヒドロキシ−３，６−ジメチル安息香酸メチル（例えば、EVERNYL）、３，８，８，１１ａ−テトラメチルドデカヒドロ−１Ｈ−３，５ａ−エポキシナフト［２，１−ｃ］オキセピン（例えば、AMBERKETAL）、３−（（１Ｒ，２Ｓ，４Ｒ，６Ｒ）−５，５，６−トリメチルビシクロ［２．２．１］ヘプタン−２−イル）シクロヘキサノール（例えば、SANDELA CONCENTRATED）、２−（２−（３，３，５−トリメチルシクロヘキシル）アセチル）シクロペンタノン（例えば、DIONE）、（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソール（例えば、AMBROCENIDE）、５−（sec−ブチル）−２−（２，４−ジメチルシクロヘキサ−３−エン−１−イル）−５−メチル−１，３−ジオキサン（例えば、KARANAL）、２，４−ジメチル−２−（５，５，８，８−テトラメチル−５，６，７，８−テトラヒドロナフタレン−２−イル）−１，３−ジオキソラン（例えば、OKOUMAL）、（１−メチル−２−（（１，２，２−トリメチルビシクロ［３．１．０］ヘキサン−３−イル）メチル）シクロプロピル）メタノール（例えば、JAVANOL）、（（１Ｓ，８ａＲ）−１，４，４−トリメチル−２，３，３ａ，４，５，８−ヘキサヒドロ−１Ｈ−５，８ａ−メタノアズレン−６−イル）メタノール（例えば、CEDRENOL）、１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、METHYL CEDRYL KETONE）、１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、VERTOFIX COEUR）、１−（２，２，６−トリメチルシクロヘキシル）ヘキサン−３−オール（例えば、TIMBEROL）、酢酸（７，７，８，８−テトラメチルオクタヒドロ−２，３ｂ−メタノシクロペンタ［１，３］シクロプロパ［１，２］ベンゼン−４−イル）メチル（例えば、AMBORYL ACETATE）、（Ｅ）−２−エチル−４−（２，２，３−トリメチルシクロペンタ−３−エン−１−イル）ブタ−２−エン−１−オール（例えば、RADJANOL)、酢酸（１Ｓ，６Ｒ，８ａＲ）−１，４，４，６−テトラメチルオクタヒドロ−１Ｈ−５，８ａ−メタノアズレン−６−イル（例えば、CEDRYL ACETATE CRYSTALS）、３ａ−エチル−６，６，９ａ−トリメチルドデカヒドロナフト［１，２−ｃ］フラン（例えば、GRISALVA）等の、約０.１μｇ／Ｌ〜約１０μｇ／Ｌの平衡ヘッドスペース濃度を有するアンバー／ウッディの成分；
【００５０】
酢酸２−（３，８−ジメチル−１，２，３，４，５，６，７，８−オクタヒドロアズレン−５−イル）プロパン−２−イル（例えば、GUAIYL ACETATE）、３−メトキシ−５−メチルフェノール（例えば、ORCINYL 3）、（１−メチル−２−（（（１Ｒ，３Ｒ）−２，２，３−トリメチルシクロペンチル）メチル）シクロプロピル）メタノール（例えば、PASHMINOL）、（Ｅ）−２−メチル−４−（２，２，３−トリメチル−１−シクロペンタ−３−エニル）ブタ−２−エン−１−オール（例えば、SANTACORE）、３−メチル−５−（２，２，３−トリメチルシクロペンタ−３−エン−１−イル）ペンタン−２−オール（例えば、SANDALORE）、（４Ｚ，８Ｚ）−１，５，９−トリメチル−１３−オキサビシクロ［１０．１．０］トリデカ−４，８−ジエン（例えば、CEDROXYDE）、(エトキシメトキシ)シクロドデカン（例えば、BOISAMBRENE FORTE)、４，８ａ，９，９−テトラメチルデカヒドロ−１，６−メタノナフタレン−１−オール（例えば、PATCHOULI ALCOHOL）、（Ｅ）−２−メチル−４−（２，２，３−トリメチル−１−シクロペンタ−３−エニル）ブタ−２−エン−１−オール（例えば、BRAHMANOL F）、１−（２，３，８，８−テトラメチル−１，２，３，４，５，６，７，８−オクタヒドロナフタレン−２−イル）エタノン（例えば、ISOCYCLEMONE E）、１−（２，３，８，８−テトラメチル−１，２，３，４，５，６，７，８−オクタヒドロナフタレン−２−イル）エタノン（例えば、ISO E SUPER）、１−（１，２，８，８−テトラメチル−１，２，３，４，５，６，７，８−オクタヒドロナフタレン−２−イル）エタノン（例えば、GEORGYWOOD）、Ｎ−エチル−Ｎ−（ｍ−トリル）プロピオンアミド（例えば、AGARBOIS）、ギ酸２，４ａ，５，８ａ−テトラメチル−１，２，３，４，４ａ，７，８，８ａ−オクタヒドロナフタレン−１−イル（例えば、OXYOCTALINE FORMATE）、（Ｅ）−３−メチル−５−（２，２，３−トリメチルシクロペンタ−３−エン−１−イル）ペンタ−４−エン−２−オール（例えば、EBANOL）、（Ｅ）−３，３−ジメチル−５−（２，２，３−トリメチル−３−シクロペンテン−１−イル）−４−ペンテン−２−オール（例えば、POLYSANTOL）、１−（（２−（tert−ブチル）シクロヘキシル）オキシ）ブタン−２−オール（例えば、AMBER CORE）、７−メトキシ−３，７−ジメチルオクタン−２−オール（例えば、OSYROL）等の、約１１μｇ／Ｌ〜約５０μｇ／Ｌの平衡ヘッドスペース濃度を有するアンバー／ウッディの成分；
【００５１】
（１Ｒ，２Ｓ，４Ｒ）−２’−イソプロピル−１，７，７−トリメチルスピロ［ビシクロ［２．２．１］ヘプタン−２，４’−［１，３］ジオキサン］（例えば、BELAMBRE）、（１Ｒ，６Ｓ，８ａＳ）−６−メトキシ−１，４，４，６−テトラメチルオクタヒドロ−１Ｈ−５，８ａ−メタノアズレン（例えば、CEDRYL METHYL ETHER）、（Ｚ）−１−（シクロオクタ−３−エン−１−イル）プロパン−１−オール（例えば、FLORYMOSS）、２’，２’，３，７，７−ペンタメチルスピロ［ビシクロ［４．１．０］ヘプタン−２，５’−［１，３］ジオキサン］（例えば、SPIRAMBRENE）、４−（１−エトキシビニル）−３，３，５，５−テトラメチルシクロヘキサノン（例えば、KEPHALIS）等の、約５１μｇ／Ｌ〜約１００μｇ／Ｌの平衡ヘッドスペース濃度を有するアンバー／ウッディの成分；（１Ｓ，２Ｒ，５Ｒ）−２−エトキシ−２，６，６−トリメチル−９−メチレンビシクロ［３．３．１］ノナン（例えば、BOISIRIS）、酢酸２−（tert−ペンチル）シクロヘキシル（例えば、CONIFERAN）、酢酸２−（sec−ブチル）−１−メチルシクロヘキシル（例えば、METAMBRATE）、酢酸４−（tert−ブチル）シクロヘキシル（例えば、BUTYL CYCLOHEXYL ACETATE PARA）、酢酸２−（４−メチルシクロヘキシル）プロパン−２−イル（例えば、MENTHANYL ACETATE）等の、約１００μｇ／Ｌ〜約１５０μｇ／Ｌの平衡ヘッドスペース濃度を有するアンバー／ウッディの成分、およびそれらの混合物、からなる群から選択され得る。
【００５２】
本発明の別の態様において、フローラルの匂いを持つグループＣ成分は、２−ヒドロキシ安息香酸ベンジル（例えば、BENZYL SALICYLATE）、（４Ｅ）−９−ヒドロキシ−５，９−ジメチル−４−デカナール（例えば、MAHONIAL）、２−シクロヘキシリデン−２−フェニルアセトニトリル（例えば、PEONILE）、２−ヘキシルシクロペンタ−２−エノン（例えば、ISOJASMONE T)、１−（２−ナフタレニル）−エタノン（例えば、ORANGER CRYSTALS）、酢酸２，２，２−トリクロロ−１−フェニルエチル（例えば、ROSACETOL）、３−（ベンゾ［ｄ］［１，３］ジオキソール−５−イル）−２−メチルプロパナール（例えば、TROPIONAL）、２−ヒドロキシ安息香酸ヘキシル（例えば、HEXYL SALICYLATE）等の、約１μｇ／Ｌ〜約１０μｇ／Ｌの平衡ヘッドスペース濃度を有するフローラルの成分；；２−ヒドロキシ安息香酸（４Ｚ）−ヘプタ−４−エン−２−イル（例えば、KARMAFLOR）、３−（４−イソブチル−２−メチルフェニル）プロパナール（例えば、NYMPHEAL）、３−メチル−５−フェニルペンタン−１−オール（例えば、MEFROSOL）、（Ｚ）−６−（ペンタ−２−エン−１−イル）テトラヒドロ−２Ｈ−ピラン−２−オン（例えば、JASMIN LACTONE DELTA）、３−（４−（tert−ブチル）フェニル）−２−メチルプロパナール（例えば、LILIAL）、（Ｅ）−３−フェニルプロパ−２−エン−１−オール（例えば、CINNAMIC ALCOHOL）、２−メトキシナフタレン（例えば、YARA YARA）、（４−メトキシフェニル）メタノール（例えば、ANISYL ALCOHOL）、２−エトキシナフタレン（例えば、NEROLINE CRYSTALS）、２，２−ジメチル−３−（ｍ−トリル）プロパン−１−オール（例えば、MAJANTOL）、７，９−ジメチルスピロ［５．５］ウンデカン−３−オン（例えば、DISPIRONE）、３−（４−（tert−ブチル）フェニル）プロパナール（例えば、BOURGEONAL）、（Ｅ）−４−（（３ａＳ，７ａＳ）−ヘキサヒドロ−１Ｈ−４，７−メタノインデン−５（６Ｈ）−イリデン）ブタナール（例えば、DUPICAL）、２−ヒドロキシ安息香酸ペンチル（例えば、AMYL SALICYLATE）、（Ｅ）−４−（２，５，６，６−テトラメチルシクロヘキサ−２−エン−１−イル）ブタ−３−エン−２−オン（例えば、IRONE ALPHA）等の、約１１μｇ／Ｌ〜約５０μｇ／Ｌの平衡ヘッドスペース濃度を有するフローラルの成分；
【００５３】
３−（４−イソプロピルフェニル）−２−メチルプロパナール（例えば、CYCLAMEN ALDEHYDE）、４−（４−メチルペンタ−３−エン−１−イル）シクロヘキサ−３−エンカルバルデヒド（例えば、MYRALDENE）、デカ−９−エン−１−オール（例えば、ROSALVA）、（１−メチル−２−（５−メチルヘキサ−４−エン−２−イル）シクロプロピル）メタノール（例えば、ROSYFOLIA）、３−（３−イソプロピルフェニル）ブタナール（例えば、FLORHYDRAL）、３−フェニルプロパン−１−オール（例えば、PHENYL PROPYL ALCOHOL）、２−メチル−４−フェニルブタン−２−オール（例えば、DIMETHYL PHENYL ETHYL CARBINOL）、２−アミノ安息香酸メチル（例えば、METHYL ANTHRANILATE）、テトラヒドロ−４−メチル−２−（２−メチルプロピル）−２Ｈ−ピラン−４−オール（例えば、FLOROSA）等の、約５１μｇ／Ｌ〜約１００μｇ／Ｌの平衡ヘッドスペース濃度を有するフローラルの成分；３−（４−エチルフェニル）−２，２−ジメチルプロパナール（例えば、FLORALOZONE）、２−（メチルアミノ）安息香酸メチル（例えば、DIMETHYL ANTHRANILATE）、（Ｅ）−３，７−ジメチルオクタ−２，６−ジエン−１−オール（例えば、GERANIOL）、（Ｅ）−４−（２，６，６−トリメチルシクロヘキサ−１−エン−１−イル）ブタ−３−エン−２−オン（例えば、IONONE BETA）、３，７−ジメチルオクタ−６−エン−１−オール（例えば、CITRONELLOL）、４−（２，６，６−トリメチルシクロヘキサ−１−エン−１−イル）ブタン−２−オン（例えば、DIHYDRO IONONE BETA）、（Ｅ）−３−メチル−４−（２，６，６−トリメチルシクロヘキサ−２−エン−１−イル）ブタ−３−エン−２−オン（例えば、ISORALDEINE 70）、４−シクロヘキシル−２−メチルブタン−２−オール（例えば、CORANOL）、（Ｚ）−３−メチル−２−（ペンタ−２−エン−１−イル）シクロペンタ−２−エノン（例えば、JASMONE CIS）等の、約１０１μｇ／Ｌ〜約１５０μｇ／Ｌの平衡ヘッドスペース濃度を有するフローラルの成分；およびそれらの混合物、からなる群から選択され得る。
【００５４】
本発明の別の態様において、スイート／スパイシーな匂いを持つグループＣ成分は、３−フェニルプロパ−２−エン酸３−フェニルプロパ−２−エニル（例えば、CINNAMYL CINNAMATE）、イソブタン酸４−ホルミル−２−メトキシフェニル(例えば、ISOBUTAVAN）、３−エトキシ−４−ヒドロキシベンズアルデヒド（例えば、ETHYL VANILLIN）、２Ｈ−クロメン−２−オン（例えば、COUMARIN）、３−ヒドロキシ−２−メチル−４Ｈ−ピラン−４−オン（例えば、MALTOL）、２−エチル−３−ヒドロキシ−４Ｈ−ピラン−４−オン（例えば、ETHYL MALTOL）等の、約０．０１μｇ／Ｌ〜約１０μｇ／Ｌの平衡ヘッドスペース濃度を有するスイート／スパイシーな成分；（Ｅ）−２−メトキシ−４−（プロパ−１−エン−１−イル）フェノール（例えば、ISOEUGENOL）、酢酸４−アリル−２−メトキシフェニル（例えば、EUGENYL ACETATE）、（Ｅ）−１，２−ジメトキシ−４−（プロパ−１−エン−１−イル）ベンゼン（例えば、METHYL ISOEUGENOL）、オクタヒドロ−２Ｈ−クロメン−２−オン（例えば、BICYCLO NONALACTONE）、ベンゾ［ｄ］［１，３］ジオキソール−５−カルバルデヒド（例えば、HELIOTROPINE）等の、約１１μｇ／Ｌ〜約５０μｇ／Ｌの平衡ヘッドスペース濃度を有するスイート／スパイシーな成分；２−メトキシ−４−プロピルフェノール（例えば、DIHYDRO EUGENOL）、（Ｅ）−３−フェニルプロパ−２−エンニトリル（例えば、CINNAMALVA）、４−アリル−２−メトキシフェノール（例えば、EUGENOL）、（２Ｅ）−３−フェニルプロパ−２−エナール（例えば、CINNAMIC ALDEHYDE）等の、約５１μｇ／Ｌ〜約１５０μｇ／Ｌの平衡ヘッドスペース濃度を有するスイート／スパイシーな成分；およびそれらの混合物、からなる群から選択され得る。
【００５５】
本発明の別の態様において、ムスキーな匂いを持つグループＣ成分は、（Ｚ）−シクロヘプタデカ−９−エノン（例えば、CIVETTONE）、１，４−ジオキサシクロヘプタデカン−５，１７−ジオン（例えば、ETHYLENE BRASSYLATE）、１，４−ジオキサシクロヘキサデカン−５，１６−ジオン（例えば、MUSK C14）、４，６，６，７，８，８−ヘキサメチル−１，３，４，６，７，８−ヘキサヒドロシクロペンタ［ｇ］イソクロメン（例えば、GALAXOLIDE）、（Ｚ）−オキサシクロヘプタデカ−１０−エン−２−オン（例えば、AMBRETTOLIDE）、シクロプロパンカルボン酸２−（１−（３，３−ジメチルシクロヘキシル）エトキシ）−２−メチルプロピル（例えば、SERENOLIDE）、１−オキサシクロヘプタデカン−２−オン（例えば、DIHYDRO AMBRETTOLIDE）、（Ｅ）−オキサシクロヘキサデカ−１２−エン−２−オン（例えば、HABANOLIDE）、（Ｚ）−シクロヘキサデカ−５−エノン（例えば、VELVIONE）、シクロペンタデカノン（例えば、MUSK CPD）、（Ｚ）−３−メチルシクロペンタデカ−５−エノン（例えば、MUSCENONE）、オキサシクロヘキサデカン−２−オン（例えば、THIBETOLIDE）、（Ｚ）−３−メチルシクロテトラデカ−５−エノン（例えば、COSMONE）、（Ｅ）−１３−メチルオキサシクロペンタデカ−１０−エン−２−オン（例えば、NIRVANOLIDE）等の、約１μｇ／Ｌ〜約１０μｇ／Ｌの平衡ヘッドスペース濃度を有するムスキーな成分；シクロプロパンカルボン酸（Ｅ）−２−（（３，５−ジメチルヘキサ−３−エン−２−イル）オキシ）−２−メチルプロピル（例えば、SYLKOLIDE）、１ａ，３，３，４，６，６−ヘキサメチル−１ａ，２，３，４，５，６，７，７ａ−オクタヒドロナフト［２，３−ｂ］オキシレン（例えば、MOXALONE）等の、約１１μｇ／Ｌ〜約１００μｇ／Ｌの平衡ヘッドスペース濃度を有するムスキーな成分、１，１，２，３，３−ペンタメチル−２，３，６，７−テトラヒドロ−１Ｈ−インデン−４（５Ｈ）−オン（例えば、CASHMERAN）等の、約１０１μｇ／Ｌ〜約１５０μｇ／Ｌの平衡ヘッドスペース濃度を有するムスキーな成分；およびそれらの混合物、からなる群から選択され得る。
【００５６】
本発明の別の態様において、フルーティーな匂いを持つグループＣ成分は、４−（４−ヒドロキシフェニル）ブタン−２−オン（例えば、RASPBERRY KETONE）、６−ヘプチルテトラヒドロ−２Ｈ−ピラン−２−オン（例えば、DODECALACTONE DELTA）、５−オクチルオキソラン−２−オン（例えば、DODECALACTONE GAMMA）、６−ヘキシルテトラヒドロ−２Ｈ−ピラン−２−オン（例えば、UNDECALACTONE DELTA）等の、約０．０１μｇ／Ｌ〜約１０μｇ／Ｌの平衡ヘッドスペース濃度を有するフルーティーな成分；６−ペンチルテトラヒドロ−２Ｈ−ピラン−２−オン（例えば、DECALACTONE DELTA）、５−ヘキシルオキソラン−２−オン（例えば、DECALACTONE GAMMA）、エチルメチルフェニルグリシダート（例えば、STRAWBERRY）、４−メチル−５−ペンチルジヒドロフラン−２（３Ｈ）−オン（例えば、METHYL TUBERATE）等の、約１１μｇ／Ｌ〜約５０μｇ／Ｌの平衡ヘッドスペース濃度を有するフルーティーな成分；６−アセトキシヘキサン酸エチル（例えば、BERRYFLOR）、５−ペンチルジヒドロフラン−２（３Ｈ）−オン（例えば、PRUNOLIDE）、ブタン酸２−メチル−１−フェニルプロパン−２−イル（例えば、DIMETHYL BENZYL CARBINYL BUTYRATE）、６−プロピルテトラヒドロ−２Ｈ−ピラン−２−オン（例えば、OCTALACTONE DELTA）、（Ｅ）−１−（２，６，６−トリメチルシクロヘキサ−１−エン−１−イル）ブタ−２−エン−１−オン（例えば、DAMASCONE BETA）；（Ｅ）−１−（２，６，６−トリメチルシクロヘキサ−２−エン−１−イル）ブタ−２−エン−１−オン（例えば、DAMASCONE ALPHA）；（Ｅ）−１−（２，６，６−トリメチルシクロヘキサ−３−エン−１−イル）ブタ−２−エン−１−オン（例えば、DAMASCONE DELTA）等の、約５１μｇ／Ｌ〜約１５０μｇ／Ｌの平衡ヘッドスペース濃度を有するフルーティーな成分；およびそれらの混合物、からなる群から選択され得る。
【００５７】
グループＣ成分は、（２Ｅ，６Ｚ）−３，７，１１−トリメチルドデカ−２，６，１０−トリエン−１−オール（例えば、FARNESOL）、２−ヒドロキシ安息香酸２−フェネチル（例えば、PHENYL ETHYL SALICYLATE CRYSTALS）、（Ｅ）−２-ベンジリデンオクタナール(例えば、ALPHA HEXYL CINNAMIC ALDEHYDE）、ジフェニルメタノン(例えば、BENZOPHENONE）、３−オキソ−２−ペンチルシクロペンタン酢酸メチル（例えば、HEDIONE）、（３Ｅ，６Ｅ）−２，４，４，７−テトラメチルノナ−６，８−ジエン−３−オンオキシム(例えば、LABIENOXIME）、３−（ベンゾ［ｄ］［１，３］ジオキソール−５−イル）−２−メチルプロパナール（例えば、TROPIONAL）等の、約１μｇ／Ｌ〜約１０μｇ／Ｌの平衡ヘッドスペース濃度を有する成分；（Ｅ）−トリデカ−２−エンニトリル（例えば、TRIDECENE-2-NITRILE）、３−（４−メトキシフェニル）−２−メチルプロパナール（例えば、FENNALDEHYDE）、酢酸（Ｅ）−６，１０−ジメチルウンデカ−５，９−ジエン−２−イル（例えば、TANGERINOL）、６−ブタン−２−イル−キノリン（例えば、ISOBUTYL QUINOLINE）、２，６，１０−トリメチルウンデカ−９−エナール（例えば、ADOXAL）、７−メチル−２Ｈ−ベンゾ［ｂ］［１，４］ジオキセピン−３（４Ｈ）−オン（例えば、CALONE 1951）等の、約１１μｇ／Ｌ〜約５０μｇ／Ｌの平衡ヘッドスペース濃度を有する成分；
【００５８】
ドデカンニトリル（例えば、CLONAL）、４，４ａ，５，９ｂ−テトラヒドロインデノ［１，２−ｄ］［１，３］ジオキシン（例えば、INDOFLOR)、２−シクロヘキシルヘプタ−１，６−ジエン−３−オン（例えば、 PHARAONE）、デカン−１−オール（例えば、ALCOHOL C 10 DECYLIC）、８−（sec−ブチル）−５，６，７，８−テトラヒドロキノリン（例えば、BIGARYL）、３−フェニルプロパ−２−エン酸メチル（例えば、METHYL CINNAMATE）、（Ｅ）−ウンデカ−９−エンニトリル（例えば、FLORIDILE）等の、約５１μｇ／Ｌ〜約１００μｇ／Ｌの平衡ヘッドスペース濃度を有する成分；（Ｅ）−７，１１−ジメチル−３−メチレンドデカ−１，６，１０−トリエン（例えば、FARNESENE）、プロピオン酸（３ａＲ，６Ｓ，７ａＳ）−３ａ，４，５，６，７，７ａ−ヘキサヒドロ−１Ｈ−４，７−メタノインデン−６−イル（例えば、FLOROCYCLENE）、４−（tert−ブチル）シクロヘキサノール (例えば、ブチルシクロヘキサノール PARA）、１−（３，３−ジメチルシクロヘキサ−１−エン−１−イル）ペンタ−４−エン−１−オン（例えば、GALBANONE）、ドデカナール（例えば、ALDEHYDE C 12 LAURIC）、２−イソプロピル−５−メチルフェノール（例えば、THYMOL CRYSTALS）、（Ｅ）−３−フェニルプロパ−２−エン−１−オール（例えば、CINNAMIC ALCOHOL）、３−シクロヘキシルプロピオン酸アリル（例えば、ALLYL CYCLOHEXYL PROPIONATE）、ジフェニルメタン（例えば、DIPHENYL METHANE）、（Ｅ）−４−メチルデカ−３−エン−５−オール（例えば、UNDECAVERTOL）等の、約１０１μｇ／Ｌ〜約１５０μｇ／Ｌの平衡ヘッドスペース濃度を有する成分；およびそれらの混合物、等の、他の匂いの方向性に属する成分をも含み得る。
【００５９】
グループＡ成分は、ノナ−２−イン酸メチル（例えば、METHYL OCTYNE CARBONATE）、イソブタン酸２−フェネチル(例えば、PHENYL ETHYL ISOBUTYRATE）、５−イソプロピル−２−メチルフェノール（例えば、CARVACROL）、（Ｅ）−１−メトキシ−４−（プロパ−１−エン−１−イル）ベンゼン（例えば、ANETHOLE）、３，７−ジメチルオクタン−１−オール（例えば、PELARGOL）、（３ａＳ，４Ｓ，７Ｒ，７ａＳ）−エチルオクタヒドロ−１Ｈ−４，７−メタノインデン−３ａ−カルボン酸（例えば、FRUITATE）、酢酸（Ｅ）−３，７−ジメチルオクタ−２，６−ジエン−１−イル（例えば、GERANYL ACETATE）、（Ｚ）−３，７−ジメチルオクタ−２，６−ジエン−１−オール（例えば、NEROLEX）、ギ酸３，７−ジメチルオクタ−６−エン−１−イル（例えば、CITRONELLYL FORMATE）、２−（２，４−ジメチルシクロヘキシル）ピリジン（例えば、ZINARINE）等の、１５１μｇ／Ｌ〜約２００μｇ／Ｌの平衡ヘッドスペース濃度を有する成分；オキシジベンゼン（例えば、ジフェニルオキシド）、２−メチルウンデカナール（例えば、ALDEHYDE C 12 MNA）、ビシクロ［２．２．２］オクタ−５−エン−２−カルボキシアルデヒド（例えば、MACEAL）、酢酸（３ａＲ，６Ｓ，７ａＳ）−３ａ，４，５，６，７，７ａ−ヘキサヒドロ−１Ｈ−４，７−メタノインデン−６−イル（例えば、JASMACYCLENE）、酢酸（Ｚ）−３，７−ジメチルオクタ−２，６−ジエン−１−イル（例えば、NERYL ACETATE）、（Ｅ）−１−（２，６，６−トリメチルシクロヘキサ−１，３−ジエン−１−イル）ブタ−２−エン−１−オン（例えば、DAMASCENONE）、（Ｅ）−５−メチルヘプタン−３−オンオキシム（例えば、STEMONE）、（２−（イソペンチルオキシ）エチル）ベンゼン（例えば、ANTHER）、２−（４−メチルシクロヘキサ−３−エン−１−イル）プロパン−２−オール（例えば、LINDENOL）、１−（シクロプロピルメチル）−４−メトキシベンゼン（例えば、TOSCANOL）、（Ｚ）−４，１１，１１−トリメチル−８−メチレンビシクロ［７．２．０］ウンデカ−４−エン（例えば、CARYOPHYLLENE）、２−フェニルエタノール（例えば、PHENYL ETHYL ALCOHOL）等の、２０１μｇ／Ｌ〜約３００μｇ／Ｌの平衡ヘッドスペース濃度を有する成分；
【００６０】
４−フェニルブタン−２−オン（例えば、BENZYL ACETONE）、１−（３，３−ジメチルシクロヘキシル）エタノール（例えば、CYCLADEMOL）、２−（２−メルカプトプロパン−２−イル）−５−メチルシクロヘキサノン（例えば、CORPS CASSIS）、２−（４−メチルシクロヘキサ−３−エン−１−イル）プロパン−２−オール（例えば、TERPINEOL）、酢酸２−（tert−ペンチル）シクロヘキシル（例えば、CONIFERAN）、２，４，６−トリメチル−４−フェニル−１，３−ジオキサン（例えば、FLOROPAL）、酢酸３，７−ジメチルオクタ−６−エン−１−イル（例えば、CITRONELLYL ACETATE）、２，４−ジメチル−４−フェニルテトラヒドロフラン（例えば、RHUBAFURAN）、（Ｅ）−ウンデカ−９−エナール（例えば、ALDEHYDE ISO C 11）、４−イソプロピルシクロヘキサノール（例えば、FOLROSIA）、ウンデカナール（例えば、ALDEHYDE C 110 UNDECYLIC）、ウンデカン−２−オン（例えば、METHYL NONYL KETONE）、酢酸２−メチル−１−フェニルプロパン−２−イル（例えば、DIMETHYL BENZYL CARBINYL ACETATE）、（１Ｓ，２Ｓ，４Ｓ）−１，７，７−トリメチルビシクロ［２．２．１］ヘプタン−２−オール（例えば、BORNEOL CRYSTALS）、酢酸２−フェネチル（例えば、PHENYL ETHYL ACETATE）、２−（４−メチル−１−シクロヘキサ−３−エニル）プロパン−２−オール（例えば、TERPINEOL ALPHA）、酢酸４−（tert−ブチル）シクロヘキシル（例えば、PARA TERT BUTYL CYCLOHEXYL ACETATE）、２−メチル−１−フェニルプロパン−２−オール（例えば、DIMETHYL BENZYL CARBINOL）、酢酸３−tert−ブチル−シクロヘキシル（例えば、CYPERATE）等の、３０１μｇ／Ｌ〜約４００μｇ／Ｌの平衡ヘッドスペース濃度を有する成分；（Ｅ）−３，７−ジメチルオクタ−２，６−ジエナール（例えば、CITRAL TECH）、４−イソプロピルベンズアルデヒド（例えば、CUMINIC ALDEHYDE）、フェニルメタノール（例えば、BENZYL ALCOHOL）、デカンニトリル（例えば、DECANONITRILE）、３，７−ジメチルオクタ−６−エンニトリル（例えば、CITRONELLYL NITRILE）、ギ酸（Ｅ）−３，７−ジメチルオクタ−２，６−ジエン−１−イル（例えば、GERANYL FORMATE）、酢酸２−（４−メチルシクロヘキサ−３−エン−１−イル）プロパン−２−イル（例えば、TERPINYL ACETATE）、ウンデカ−１０−エナール（例えば、ALDEHYDE C 11 UNDECYLENIC）、プロピオン酸ベンジル（例えば、BENZYL PROPIONATE）、ｐ−クレゾール（例えば、PARA CRESOL）等の、４０１μｇ／Ｌ〜約５００μｇ／Ｌの平衡ヘッドスペース濃度を有する成分；
【００６１】
２−ヒドロキシ安息香酸エチル（例えば、ETHYL SALICYLATE）、オクタン−１−オール（例えば、ALCOHOL C 8 OCTYLIC）、４−（tert−ブチル）シクロヘキサノン（例えば、PARA TERT BUTYL CYCLOHEXANONE）、２−（tert−ブチル）シクロヘキサノール（例えば、VERDOL）、３−フェニルブタナール（例えば、TRIFERNAL）、（Ｅ）−３，７−ジメチルノナ−１，６−ジエン−３−オール（例えば、ETHYL LINALOOL）、（２Ｅ，６Ｚ）−ノナ−２，６−ジエンニトリル（例えば、VIOLET NITRILE）、２−メチル−５−（プロパ−１−エン−２−イル）シクロヘキサ−２−エノン（例えば、CARVONE LAEVO）等の、５０１μｇ／Ｌ〜約６００μｇ／Ｌの平衡ヘッドスペース濃度を有する成分；２−（イソペンチルオキシ）酢酸アリル（例えば、ALLYL AMYL GLYCOLATE）、２−メチルデカナール（例えば、ALDEHYDE C 11 MOA）、２−（４−メチルシクロヘキシル）プロパン−２−オール（例えば、DIHYDRO TERPINEOL）、２，６−ジメチルオクタン−２−オール（例えば、TETRAHYDRO MYRCENOL）、２−ペンチルシクロペンタノン（例えば、QUINTONE）、６−メトキシ−２，６−ジメチルヘプタナール（例えば、METHOXY MELONAL）、酢酸１−フェニルエチル（例えば、GARDENOL）、酢酸２−（４−メチルシクロヘキシル）プロパン−２−イル(例えば、MENTHANYL ACETATE）、１−（ｐ−トリル）エタノン（例えば、METHYL ACETOPHENONE）、酢酸２−（tert−ブチル）シクロヘキシル（例えば、AGRUMEX）、２−（２−メチル−１，３−ジオキソラン−２−イル）酢酸エチル（例えば、FRUCTONE）、２−メチルペンタン酸２−メチルペンチル（例えば、PERANAT）、酢酸ｐ−トリル（例えば、CRESYL ACETATE PARA）等の、６０１μｇ／Ｌ〜９００μｇ／Ｌの平衡ヘッドスペース濃度を有する成分；およびそれらの混合物、からなる群から選択される、他の匂いを有する香り成分を包含し得る。
【００６２】
本発明の別の態様において、以下を含むフレグランス組成物が提供される：
ａ）  フレグランス組成物の２０重量％未満が、２５℃で１５１〜９００マイクログラム／Ｌの間の平衡ヘッドスペース濃度を有するグループＡ成分として定義された香り成分からなる；ならびに
【００６３】
ｂ）  フレグランス組成物の４０重量％よりも多くが、２５℃で９００マイクログラム／Ｌよりも高い平衡ヘッドスペース濃度を有するグループＢの香り成分からなり、これは１５重量％よりも多くの、特に、２０重量％よりも多くの、さらに特には２５重量％よりも多くの、ヘキサン酸アリル（例えば、ALLYL CAPROATE）；ヘキサン酸エチル（例えば、ETHYL CAPROATE）；ヘプタン酸アリル（例えば、ALLYL OENANTHATE）；酢酸３−メチルブチル（例えば、ISOAMYL ACETATE）；酢酸３−メチルブタ−２−エン−１−イル（例えば、PRENYL ACETATE）；ブタン酸ペンチル（例えば、AMYL BUTYRATE）；６−メチルヘプタン−３−オン（例えば、ETHYL ISOAMYL KETONE）；ブタン酸３−メチルブチル（例えば、ISOAMYL BUTYRATE FR）；２−メチルプロパン酸４−メチルペンタ−４−エン−２−イル（例えば、ISOPENTYRATE）；ヘプタン−２−オン（例えば、METHYL AMYL KETONE）；ブタン酸エチル（例えば、ETHYL BUTYRATE）；２−メチルペンタン酸エチル（例えば、MANZANATE）；２−メチルブタン酸エチル（例えば、ETHYL METHYL-2-BUTYRATE）；（４Ｓ）−４，７，７−トリメチル−６−チアビシクロ［３．２．１］オクタン（例えば、CORPS PAMPLEMOUSSE）；
【００６４】
２−メチル−４−プロピル−１，３−オキサチアン（例えば、OXANE）；炭酸（Ｚ）−ヘキサ−３−エン−１−イルメチル（例えば、LIFFAROME）；酢酸（Ｚ）−ヘキサ−３−エン−１−イル（例えば、HEXENYL-3-CIS ACETATE）；酢酸へキシル（例えば、ACETATE C 6 HEXYLIC）；２，６−ジメチルヘプタ−５−エナール（例えば、MELONAL）；ベンズアルデヒド；ヘキサナール（例えば、ALDEHYDE C 6 HEXYLIC）；（Ｚ）−ヘキサ−３−エン−１−オール（例えば、HEXENOL-3-CIS）；４−ビニルシクロヘキサ−１−エンカルバルデヒド（例えば、SHISOLIA）；２，４−ジメチルシクロヘキサ−３−エンカルバルデヒド（例えば、CYCLAL C）；２，４−ジメチルシクロヘキサ−３−エンカルバルデヒド（例えば、TRICYCLAL）；７−メチル−３−メチレンオクタ−１，６−ジエン（例えば、MYRCENE）；（３Ｅ，５Ｚ）−ウンデカ−１，３，５−トリエン（例えば、UNDECATRIENE）；（２Ｅ，６Ｚ）−ノナ−２，６−ジエナール（例えば、NONADIENAL）；４−メチル−２−（２−メチルプロパ−１−エン−１−イル）テトラヒドロ−２Ｈ−ピラン（例えば、ROSE OXIDE）；およびそれらの混合物、からなる群から選択される、フルーティーおよびグリーンの成分を含む；ならびに
【００６５】
ｃ）  フレグランス組成物の４０％よりも多くが、２５℃で１５０マイクログラム／Ｌ以下の平衡ヘッドスペース濃度を有するグループＣの香り成分からなり、これは１５重量％よりも多くの、特に、２０重量％よりも多くの、さらに特には２５重量％よりも多くの、２Ｈ−クロメン−２−オン（例えば、COUMARIN）；オクタヒドロ−２Ｈ−クロメン−２−オン（例えば、BICYCLO NONALACTONE）；３−ヒドロキシ−２−メチル−４Ｈ−ピラン−４−オン（例えば、MALTOL）；２−エチル−３−ヒドロキシ−４Ｈ−ピラン−４−オン（例えば、ETHYL MALTOL）；ベンゾ［ｄ］［１，３］ジオキソール−５−カルバルデヒド（例えば、HELIOTROPINE）；イソブタン酸４−ホルミル−２−メトキシフェニル(例えば、ISOBUTAVAN）；３−エトキシ−４−ヒドロキシベンズアルデヒド（例えば、ETHYL VANILLIN）；４−アリル−２−メトキシフェノール（例えば、EUGENOL）；（Ｅ）−２−メトキシ−４−（プロパ−１−エン−１−イル）フェノール（例えば、ISOEUGENOL）；酢酸４−アリル−２−メトキシフェニル（例えば、EUGENYL ACETATE）；（Ｅ）−１，２−ジメトキシ−４−（プロパ−１−エン−１−イル）ベンゼン（例えば、METHYL ISOEUGENOL）；２−メトキシ−４−プロピルフェノール（例えば、DIHYDRO EUGENOL）；３−フェニルプロパ−２−エン酸３−フェニルプロパ−２−エニル（例えば、CINNAMYL CINNAMATE）；（２Ｅ）−３−フェニルプロパ−２−エナール（例えば、CINNAMIC ALDEHYDE）；（Ｅ）−３−フェニルプロパ−２−エンニトリル（例えば、CINNAMALVA);
【００６６】
４−（２，６，６−トリメチルシクロヘキサ−１−エン−１−イル）ブタン−２−オン（例えば、DIHYDRO IONONE BETA）；７，９−ジメチルスピロ［５．５］ウンデカン−３−オン（例えば、DISPIRONE）；（Ｅ）−４−（２，６，６−トリメチルシクロヘキサ−１−エン−１−イル）ブタ−３−エン−２−オン（例えば、IONONE BETA）；（Ｅ）−４−（２，５，６，６−テトラメチルシクロヘキサ−２−エン−１−イル）ブタ−３−エン−２−オン（例えば、IRONE ALPHA）；（Ｅ）−３−メチル−４−（２，６，６−トリメチルシクロヘキサ−２−エン−１−イル）ブタ−３−エン−２−オン（例えば、ISORALDEINE 70）；２−（メチルアミノ）安息香酸メチル（例えば、DIMETHYL ANTHRANILATE）；２−アミノ安息香酸メチル（例えば、METHYL ANTHRANILATE）；１−（２−ナフタレニル）−エタノン（例えば、ORANGER CRYSTALS）；２−エトキシナフタレン（例えば、NEROLINE CRYSTALS）；２−メトキシナフタレン（例えば、YARA YARA）；（４−メトキシフェニル）メタノール（例えば、ANISYL ALCOHOL）；２−ヘキシルシクロペンタ−２−エノン（例えば、ISOJASMONE T）；（Ｚ）−３−メチル−２−（ペンタ−２−エン−１−イル）シクロペンタ−２−エノン（例えば、JASMONE CIS）；（Ｚ）−６−（ペンタ−２−エン−１−イル）テトラヒドロ−２Ｈ−ピラン−２−オン（例えば、JASMIN LACTONE DELTA）；２−ヒドロキシ安息香酸ペンチル（例えば、AMYL SALICYLATE）；２−ヒドロキシ安息香酸ヘキシル（例えば、HEXYL SALICYLATE）；２−ヒドロキシ安息香酸（４Ｚ）−ヘプタ−４−エン−２−イル（例えば、KARMAFLOR）；２−ヒドロキシ安息香酸ベンジル(例えば、BENZYL SALICYLATE）；４−シクロヘキシル−２−メチルブタン−２−オール（例えば、CORANOL）；
【００６７】
テトラヒドロ−４−メチル−２−（２−メチルプロピル）−２Ｈ−ピラン−４−オール（例えば、FLOROSA HC）；（４Ｅ）−９−ヒドロキシ−５，９−ジメチル−４−デカナール（例えば、MAHONIAL）；３−（４−イソプロピルフェニル）−２−メチルプロパナール（例えば、CYCLAMEN ALDEHYDE）；３−（４−（tert−ブチル）フェニル）プロパナール（例えば、BOURGEONAL）；３−（ベンゾ［ｄ］［１，３］ジオキソール−５−イル）−２−メチルプロパナール（例えば、TROPIONAL）；（Ｅ）−４−（（３ａＳ，７ａＳ）−ヘキサヒドロ−１Ｈ−４，７−メタノインデン−５（６Ｈ）−イリデン）ブタナール（例えば、DUPICAL）；３−（４−エチルフェニル）−２，２−ジメチルプロパナール（例えば、FLORALOZONE）；テトラヒドロ−４−メチル−２−（２−メチルプロピル）−２Ｈ−ピラン−４−オール（例えば、FLOROSA）；３−（４−（tert−ブチル）フェニル）−２−メチルプロパナール（例えば、LILIAL）；２，２−ジメチル−３−（ｍ−トリル）プロパン−１−オール（例えば、MAJANTOL）；４−（４−メチルペンタ−３−エン−１−イル）シクロヘキサ−３−エンカルバルデヒド（例えば、MYRALDENE）；デカ−９−エン−１−オール（例えば、ROSALVA）；３−（３−イソプロピルフェニル）ブタナール（例えば、FLORHYDRAL）；３−（４−イソブチル−２−メチルフェニル）プロパナール（例えば、NYMPHEAL）；（Ｅ）−３−フェニルプロパ−２−エン−１−オール（例えば、CINNAMIC ALCOHOL）；３−フェニルプロパン−１−オール（例えば、PHENYL PROPYL ALCOHOL）；（１−メチル−２−（５−メチルヘキサ−４−エン−２−イル）シクロプロピル）メタノール（例えば、ROSYFOLIA）；３，７−ジメチルオクタ−６−エン−１−オール（例えば、CITRONELLOL）；（Ｅ）−３，７−ジメチルオクタ−２，６−ジエン−１−オール（例えば、GERANIOL）；３−メチル−５−フェニルペンタン−１−オール（例えば、MEFROSOL）；酢酸２，２，２−トリクロロ−１−フェニルエチル（例えば、ROSACETOL）；２−シクロヘキシリデン−２−フェニルアセトニトリル（例えば、PEONILE）；２−メチル−４−フェニルブタン−２−オール（例えば、DIMETHYL PHENYL ETHYL CARBINOL）；およびそれらの混合物、からなる群から選択される、スイートおよびフローラルの成分を含む。
【００６８】
本発明の別の態様において、以下を含むフレグランス組成物が提供される：
ａ）  フレグランス組成物の２０重量％未満が、２５℃で１５１〜９００マイクログラム／Ｌの間の平衡ヘッドスペース濃度を有するグループＡ成分として定義された香り成分からなる；ならびに
【００６９】
ｂ）  フレグランス組成物の４０重量％よりも多くが、２５℃で９００マイクログラム／Ｌよりも高い平衡ヘッドスペース濃度を有するグループＢの香り成分からなり、これは１５重量％よりも多くの、特に、２０重量％よりも多くの、さらに特には２５重量％よりも多くの、３，７−ジメチルオクタ−６−エナール（例えば、CITRONELLAL）；４，７−ジメチルオクタ−６−エン−３−オン（例えば、DIMETHYL OCTENONE）；６，６−ジメトキシ−２，５，５−トリメチルヘキサ−２−エン（例えば、METHYL PAMPLEMOUSSE）；１−フェニルエタンチオール（例えば、ANJERUK）；１−メチル−４−（プロパ−１−エン−２−イル）シクロヘキサ−１−エン（例えば、DIPENTENE）；（４Ｒ）−１−メチル−４−（１−メチルビニル）シクロヘキセン（例えば、LIMONENE LAEVO）；１−メチル−４−（プロパン−２−イリデン）シクロヘキサ−１−エン（例えば、TERPINOLENE）；オクタナール（例えば、ALDEHYDE C 8 OCTYLIC）；ノナナール（例えば、ALDEHYDE C 9 NONYLIC）；３，５，５−トリメチルヘキサナール（例えば、ALDEHYDE C 9 ISONONYLIC）；（Ｅ）−デカ−４−エナール（例えば、DECENAL-4-TRANS）；デカナール（例えば、ALDEHYDE C 10）；ヘプタナール（例えば、ALDEHYDE C 7 HEPTYLIC）、およびそれらの混合物、から選択されるがこれに限定されない、初期のシトラスの成分を含む；
【００７０】
ｃ）  フレグランス組成物の４０重量％よりも多くが、２５℃で１５０マイクログラム／Ｌ以下の平衡ヘッドスペース濃度を有するグループＣの香り成分からなり、これは１５重量％よりも多くの、特に、２０重量％よりも多くの、さらに特には２５重量％よりも多くの、２Ｈ−クロメン−２−オン（例えば、COUMARIN）；オクタヒドロ−２Ｈ−クロメン−２−オン（例えば、BICYCLO NONALACTONE）；３−ヒドロキシ−２−メチル−４Ｈ−ピラン−４−オン（例えば、MALTOL）；２−エチル−３−ヒドロキシ−４Ｈ−ピラン−４−オン（例えば、ETHYL）；ベンゾ［ｄ］［１，３］ジオキソール−５−カルバルデヒド（例えば、HELIOTROPINE）；イソブタン酸４−ホルミル−２−メトキシフェニル（例えば、ISOBUTAVAN）；３−エトキシ−４−ヒドロキシベンズアルデヒド（例えば、ETHYL VANILLIN）；４−アリル−２−メトキシフェノール（例えば、EUGENOL）；（Ｅ）−２−メトキシ−４−（プロパ−１−エン−１−イル）フェノール（例えば、ISOEUGENOL）；酢酸４−アリル−２−メトキシフェニル（例えば、EUGENYL ACETATE）；（Ｅ）−１，２−ジメトキシ−４−（プロパ−１−エン−１−イル）ベンゼン（例えば、METHYL ISOEUGENOL）；２−メトキシ−４−プロピルフェノール（例えば、DIHYDRO EUGENOL）；３−フェニルプロパ−２−エン酸３−フェニルプロパ−２−エニル（例えば、CINNAMYL CINNAMATE）；（２Ｅ）−３−フェニルプロパ−２−エナール（例えば、CINNAMIC ALDEHYDE）；（Ｅ）−３−フェニルプロパ−２−エンニトリル（例えば、CINNAMALVA）；
【００７１】
（Ｚ）−オキサシクロヘプタデカ−１０−エン−２−オン（例えば、AMBRETTOLIDE）；（Ｚ）−シクロヘプタデカ−９−エノン（例えば、CIVETTONE）；（Ｚ）−３−メチルシクロテトラデカ−５−エノン（例えば、COSMONE）；１，４−ジオキサシクロヘプタデカン−５，１７−ジオン（例えば、ETHYLENE BRASSYLATE）；４，６，６，７，８，８−ヘキサメチル−１，３，４，６，７，８−ヘキサヒドロシクロペンタ［ｇ］イソクロメン（例えば、GALAXOLIDE）；（Ｅ）−オキサシクロヘキサデカ−１２−エン−２−オン（例えば、HABANOLIDE）；（Ｚ）−３−メチルシクロペンタデカ−５−エノン（例えば、MUSCENONE）；１，４−ジオキサシクロヘキサデカン−５，１６−ジオン（例えば、MUSK C14）；（Ｅ）−１３−メチルオキサシクロペンタデカ−１０−エン−２−オン（例えば、NIRVANOLIDE）；シクロプロパンカルボン酸２−（１−（３，３−ジメチルシクロヘキシル）エトキシ）−２−メチルプロピル（例えば、SERENOLIDE）；シクロプロパンカルボン酸（Ｅ）−２−（（３，５−ジメチルヘキサ−３−エン−２−イル）オキシ）−２−メチルプロピル（例えば、SYLKOLIDE）；オキサシクロヘキサデカン−２−オン（例えば、THIBETOLIDE）；（Ｚ）−シクロヘキサデカ−５−エノン（例えば、VELVIONE）；１，１，２，３，３−ペンタメチル−２，３，６，７−テトラヒドロ−１Ｈ−インデン−４（５Ｈ）−オン（例えば、CASHMERAN）；１ａ，３，３，４，６，６−ヘキサメチル−１ａ，２，３，４，５，６，７，７ａ−オクタヒドロナフト［２，３−ｂ］オキシレン（例えば、MOXALONE）；シクロペンタデカノン（例えば、MUSK CPD）；１−オキサシクロヘプタデカン−２−オン（例えば、DIHYDRO AMBRETTOLIDE）；およびそれらの混合物、から選択されるがこれに限定されない、長持ちするスイートおよびムスキーな成分を含む。
【００７２】
本発明の別の態様において、以下を含むフレグランス組成物が提供される：
ａ）  フレグランス組成物の２０重量％未満が、２５℃で１５１〜９００マイクログラム／Ｌの間の平衡ヘッドスペース濃度を有するグループＡ成分として定義された香り成分からなる；ならびに
【００７３】
ｂ）  フレグランス組成物の５５重量％よりも多くが、２５℃で９００マイクログラム／Ｌよりも高い平衡ヘッドスペース濃度を有するグループＢの香り成分からなり、これは１５重量％よりも多くの、特に、２０重量％よりも多くの、さらに特には２５重量％よりも多くの、３，７−ジメチルオクタ−６−エナール（例えば、CITRONELLAL）；４，７−ジメチルオクタ−６−エン−３−オン（例えば、DIMETHYL OCTENONE）；６，６−ジメトキシ−２，５，５−トリメチルヘキサ−２−エン（例えば、METHYL PAMPLEMOUSSE）；１−フェニルエタンチオール（例えば、ANJERUK）；１−メチル−４−（プロパ−１−エン−２−イル）シクロヘキサ−１−エン（例えば、DIPENTENE）；（４Ｒ）−１−メチル−４−（１−メチルビニル）シクロヘキセン（例えば、LIMONENE LAEVO）；１−メチル−４−（プロパン−２−イリデン）シクロヘキサ−１−エン（例えば、TERPINOLENE）；オクタナール（例えば、ALDEHYDE C 8 OCTYLIC）；ノナナール（例えば、ALDEHYDE C 9 NONYLIC）；３，５，５−トリメチルヘキサナール（例えば、ALDEHYDE C 9 ISONONYLIC）；（Ｅ）−デカ−４−エナール（例えば、DECENAL-4-TRANS）；デカナール（例えば、ALDEHYDE C 10 DECYLIC）；ヘプタナール（例えば、ALDEHYDE C 7 HEPTYLIC）；
【００７４】
酢酸（２Ｓ）−１，３，３−トリメチルビシクロ［２．２．１］ヘプタン−２−イル（例えば、FENCHYL ACETATE）；（１Ｓ，２Ｒ，４Ｒ）−１，３，３−トリメチルビシクロ［２．２．１］ヘプタン−２−オール（例えば、FENCHYL ALCOHOL）；（１Ｓ，４Ｓ）−１，７，７−トリメチルビシクロ［２．２．１］ヘプタン−２−オン（例えば、CAMPHOR）；酢酸（２Ｓ，４Ｓ）−１，７，７−トリメチルビシクロ［２．２．１］ヘプタン−２−イル（例えば、BORNYL ACETATE LIQUID）；２，６，６−トリメチルビシクロ［３．１．１］ヘプタ−２−エン（例えば、PINENE ALPHA）；６，６−ジメチル−２−メチレンビシクロ［３．１．１］ヘプタン（例えば、PINENE BETA）；１−メチル−４−プロパン−２−イルベンゼン（例えば、CYMENE PARA）；１−メチル−４−プロパン−２−イルシクロヘキサ−１，４−ジエン（例えば、TERPINENE GAMMA）；２，２，６−トリメチル−６−ビニルテトラヒドロ−２Ｈ−ピラン（例えば、LIMETOL）；酢酸３，７−ジメチルオクタ−１，６−ジエン−３−イル（例えば、LINALYL ACETATE）；２，６−ジメチルオクタ−７−エン−２−オール（例えば、DIMYRCETOL）；（１ｓ，４ｓ）−１，３，３−トリメチル−２−オキサビシクロ［２．２．２］オクタン（例えば、EUCALYPTOL）；２−（sec−ブチル）シクロヘキサノン（例えば、FRESKOMENTHE）；２−イソプロピル−５−メチルシクロヘキサノン（例えば、MENTHONE）；２−イソプロピル−５−メチルシクロヘキサノン（例えば、ISOMENTHONE DL）；
【００７５】
ヘキサン酸アリル（例えば、ALLYL CAPROATE）；ヘキサン酸エチル（例えば、ETHYL CAPROATE）；ヘプタン酸アリル（例えば、ALLYL OENANTHATE）；酢酸３−メチルブチル（例えば、ISOAMYL ACETATE）；酢酸３−メチルブタ−２−エン−１−イル（例えば、PRENYL ACETATE）；ブタン酸ペンチル（例えば、AMYL BUTYRATE）；６−メチルヘプタン−３−オン（例えば、ETHYL ISOAMYL KETONE）；ブタン酸３−メチルブチル（例えば、ISOAMYL BUTYRATE）；２−メチルプロパン酸４−メチルペンタ−４−エン−２−イル（例えば、ISOPENTYRATE）；ヘプタン−２−オン（例えば、METHYL AMYL KETONE）；ブタン酸エチル（例えば、ETHYL BUTYRATE）；２−メチルペンタン酸エチル（例えば、MANZANATE）；２−メチルブタン酸エチル（例えば、ETHYL METHYL-2-BUTYRATE）；（４Ｓ）−４，７，７−トリメチル−６−チアビシクロ［３．２．１］オクタン（例えば、CORPS PAMPLEMOUSSE）；２−メチル−４−プロピル−１，３−オキサチアン（例えば、OXANE）；炭酸（Ｚ）−ヘキサ−３−エン−１−イルメチル（例えば、LIFFAROME）；酢酸（Ｚ）−ヘキサ−３−エン−１−イル（例えば、HEXENYL-3-CIS ACETATE）；酢酸へキシル（例えば、ACETATE C 6 HEXYLIC）；２，６−ジメチルヘプタ−５−エナール（例えば、MELONAL）；ベンズアルデヒド；およびそれらの混合物；から選択される、初期のシトラス／アルデヒド性、グリーン、芳香性／ハーバルおよびフルーティーな成分を含む；ならびに
【００７６】
ｃ）  フレグランス組成物の２５重量％よりも多くが、２５℃で１５０マイクログラム／Ｌ以下の平衡ヘッドスペース濃度を有するグループＣの香り成分からなり、これは１５重量％よりも多くの、特に、２０重量％よりも多くの、さらに特には２５重量％よりも多くの、３−メトキシ−５−メチルフェノール（例えば、ORCINYL 3）；（Ｚ）−１−（シクロオクタ−３−エン−１−イル）プロパン−１−オール（例えば、FLORYMOSS）；２，４−ジヒドロキシ−３，６−ジメチル安息香酸メチル（例えば、EVERNYL）；（１−メチル−２−（（（１Ｒ，３Ｒ）−２，２，３−トリメチルシクロペンチル）メチル）シクロプロピル）メタノール（例えば、PASHMINOL）；７−メトキシ−３，７−ジメチルオクタン−２−オール（例えば、OSYROL）；（Ｅ）−２−メチル−４−（２，２，３−トリメチル−１−シクロペンタ−３−エニル）ブタ−２−エン−１−オール（例えば、BRAHMANOL F）；（Ｅ）−３−メチル−５−（２，２，３−トリメチルシクロペンタ−３−エン−１−イル）ペンタ−４−エン−２−オール（例えば、EBANOL）；（１−メチル−２−（（１，２，２−トリメチルビシクロ［３．１．０］ヘキサン−３−イル）メチル）シクロプロピル）メタノール（例えば、JAVANOL）；（Ｅ）−３，３−ジメチル−５−（２，２，３−トリメチル−３−シクロペンテン−１−イル）−４−ペンテン−２−オール(例えば、POLYSANTOL）；（Ｅ）−２−エチル−４−（２，２，３−トリメチルシクロペンタ−３−エン−１−イル）ブタ−２−エン−１−オール（例えば、RADJANOL)；
【００７７】
３−（（１Ｒ，２Ｓ，４Ｒ，６Ｒ）−５，５，６−トリメチルビシクロ［２．２．１］ヘプタン−２−イル）シクロヘキサノール（例えば、SANDELA CONCENTRATED）；（Ｅ）−２−メチル−４−（２，２，３−トリメチル−１−シクロペンタ−３−エニル）ブタ−２−エン−１−オール（例えば、SANTACORE）；３−メチル−５−（２，２，３−トリメチルシクロペンタ−３−エン−１−イル）ペンタン−２−オール（例えば、SANDALORE）；酢酸４−（tert−ブチル）シクロヘキシル（例えば、BUTYL CYCLOHEXYL ACETATE PARA）；酢酸２−（tert−ペンチル）シクロヘキシル（例えば、CONIFERAN）；酢酸２−（４−メチルシクロヘキシル）プロパン−２−イル(例えば、MENTHANYL ACETATE）；（１Ｓ，２Ｒ，５Ｒ）−２−エトキシ−２，６，６−トリメチル−９−メチレンビシクロ［３．３．１］ノナン（例えば、BOISIRIS）；（（１Ｓ，８ａＲ）−１，４，４−トリメチル−２，３，３ａ，４，５，８−ヘキサヒドロ−１Ｈ−５，８ａ−メタノアズレン−６−イル）メタノール（例えば、CEDRENOL）；酢酸（１Ｓ，６Ｒ，８ａＲ）−１，４，４，６−テトラメチルオクタヒドロ−１Ｈ−５，８ａ−メタノアズレン−６−イル（例えば、CEDRYL ACETATE CRYSTALS）；酢酸２−（３，８−ジメチル−１，２，３，４，５，６，７，８−オクタヒドロアズレン−５−イル）プロパン−２−イル（例えば、GUAIYL ACETATE）；
【００７８】
１−（２，３，８，８−テトラメチル−１，２，３，４，５，６，７，８−オクタヒドロナフタレン−２−イル）エタノン（例えば、ISOCYCLEMONE E）；１−（２，３，８，８−テトラメチル−１，２，３，４，５，６，７，８−オクタヒドロナフタレン−２−イル）エタノン（例えば、ISO E SUPER）；４−（１−エトキシビニル）−３，３，５，５−テトラメチルシクロヘキサノン（例えば、KEPHALIS）；１−（１，２，８，８−テトラメチル−１，２，３，４，５，６，７，８−オクタヒドロナフタレン−２−イル）エタノン（例えば、GEORGYWOOD）；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、METHYL CEDRYL KETONE）；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、VERTOFIX COEUR）；Ｎ−エチル−Ｎ−（ｍ−トリル）プロピオンアミド（例えば、AGARBOIS）；１−（（２−（tert−ブチル）シクロヘキシル）オキシ）ブタン−２−オール（例えば、AMBER CORE）；３，８，８，１１ａ−テトラメチルドデカヒドロ−１Ｈ−３，５ａ−エポキシナフト［２，１−ｃ］オキセピン（例えば、AMBERKETAL）；（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソール（例えば、AMBROCENIDE）；(エトキシメトキシ)シクロドデカン（例えば、BOISAMBRENE FORTE）；（４Ｚ，８Ｚ）−１，５，９−トリメチル−１３−オキサビシクロ［１０．１．０］トリデカ−４，８−ジエン（例えば、CEDROXYDE）；
【００７９】
２−（２−（３，３，５−トリメチルシクロヘキシル）アセチル）シクロペンタノン（例えば、DIONE）；３ａ−エチル−６，６，９ａ−トリメチルドデカヒドロナフト［１，２−ｃ］フラン（例えば、GRISALVA）；５−（sec−ブチル）−２−（２，４−ジメチルシクロヘキサ−３−エン−１−イル）−５−メチル−１，３−ジオキサン（例えば、KARANAL）；酢酸２−（sec−ブチル）−１−メチルシクロヘキシル（例えば、METAMBRATE）；２，４−ジメチル−２−（５，５，８，８−テトラメチル−５，６，７，８−テトラヒドロナフタレン−２−イル）−１，３−ジオキソラン（例えば、OKOUMAL）；１−（２，２，６−トリメチルシクロヘキシル）ヘキサン−３−オール（例えば、TIMBEROL）；２’，２’，３，７，７−ペンタメチルスピロ［ビシクロ［４．１．０］ヘプタン−２，５’−［１，３］ジオキサン］（例えば、SPIRAMBRENE）；酢酸（７，７，８，８−テトラメチルオクタヒドロ−２，３ｂ−メタノシクロペンタ［１，３］シクロプロパ［１，２］ベンゼン−４−イル）メチル（例えば、AMBORYL ACETATE）；（１Ｒ，２Ｓ，４Ｒ）−２’−イソプロピル−１，７，７−トリメチルスピロ［ビシクロ［２．２．１］ヘプタン−２，４’−［１，３］ジオキサン］（例えば、BELAMBRE);（１Ｒ，６Ｓ，８ａＳ）−６−メトキシ−１，４，４，６−テトラメチルオクタヒドロ−１Ｈ−５，８ａ−メタノアズレン（例えば、CEDRYL METHYL ETHER）；ギ酸２，４ａ，５，８ａ−テトラメチル−１，２，３，４，４ａ，７，８，８ａ−オクタヒドロナフタレン−１−イル（例えば、OXYOCTALINE FORMATE）；パチュリー油；４，８ａ，９，９−テトラメチルデカヒドロ−１，６−メタノナフタレン−１−オール（例えば、PATCHOULI ALCOHOL）；
【００８０】
４−（２，６，６−トリメチルシクロヘキサ−１−エン−１−イル）ブタン−２−オン（例えば、DIHYDRO IONONE BETA）；７，９−ジメチルスピロ［５．５］ウンデカン−３−オン（例えば、DISPIRONE）；（Ｅ）−４−（２，６，６−トリメチルシクロヘキサ−１−エン−１−イル）ブタ−３−エン−２−オン（例えば、IONONE BETA）；（Ｅ）−４−（２，５，６，６−テトラメチルシクロヘキサ−２−エン−１−イル）ブタ−３−エン−２−オン（例えば、IRONE ALPHA）；（Ｅ）−３−メチル−４−（２，６，６−トリメチルシクロヘキサ−２−エン−１−イル）ブタ−３−エン−２−オン（例えば、ISORALDEINE 70）；２−（メチルアミノ）安息香酸メチル（例えば、DIMETHYL ANTHRANILATE）；２−アミノ安息香酸メチル（例えば、METHYL ANTHRANILATE）；１−（２−ナフタレニル）−エタノン（例えば、ORANGER CRYSTALS）；２−エトキシナフタレン（例えば、NEROLINE CRYSTALS）；２−メトキシナフタレン（例えば、YARA YARA）；（４−メトキシフェニル）メタノール（例えば、ANISYL ALCOHOL）；２−ヘキシルシクロペンタ−２−エノン（例えば、ISOJASMONE T）；（Ｚ）−３−メチル−２−（ペンタ−２−エン−１−イル）シクロペンタ−２−エノン（例えば、JASMONE CIS）；（Ｚ）−６−（ペンタ−２−エン−１−イル）テトラヒドロ−２Ｈ−ピラン−２−オン（例えば、JASMIN LACTONE DELTA）；
【００８１】
２−ヒドロキシ安息香酸ペンチル（例えば、AMYL SALICYLATE）；２−ヒドロキシ安息香酸ヘキシル（例えば、HEXYL SALICYLATE）；２−ヒドロキシ安息香酸（４Ｚ）−ヘプタ−４−エン−２−イル（例えば、KARMAFLOR）；２−ヒドロキシ安息香酸ベンジル（例えば、BENZYL SALICYLATE）；４−シクロヘキシル−２−メチルブタン−２−オール（例えば、CORANOL）；テトラヒドロ−４−メチル−２−（２−メチルプロピル）−２Ｈ−ピラン−４−オール（例えば、FLOROSA HC）；（４Ｅ）−９−ヒドロキシ−５，９−ジメチル−４−デカナール（例えば、MAHONIAL）；３−（４−イソプロピルフェニル）−２−メチルプロパナール（例えば、CYCLAMEN ALDEHYDE）；３−（４−（tert−ブチル）フェニル）プロパナール（例えば、BOURGEONAL）；３−（ベンゾ［ｄ］［１，３］ジオキソール−５−イル）−２−メチルプロパナール（例えば、TROPIONAL）；（Ｅ）−４−（（３ａＳ，７ａＳ）−ヘキサヒドロ−１Ｈ−４，７−メタノインデン−５（６Ｈ）−イリデン）ブタナール（例えば、DUPICAL）；３−（４−エチルフェニル）−２，２−ジメチルプロパナール（例えば、FLORALOZONE）；テトラヒドロ−４−メチル−２−（２−メチルプロピル）−２Ｈ−ピラン−４−オール（例えば、FLOROSA）；３−（４−（tert−ブチル）フェニル）−２−メチルプロパナール（例えば、LILIAL）；２，２−ジメチル−３−（ｍ−トリル）プロパン−１−オール（例えば、MAJANTOL）；
【００８２】
４−（４−メチルペンタ−３−エン−１−イル）シクロヘキサ−３−エンカルバルデヒド（例えば、MYRALDENE）；デカ−９−エン−１−オール（例えば、ROSALVA）；３−（３−イソプロピルフェニル）ブタナール（例えば、FLORHYDRAL）；３−（４−イソブチル−２−メチルフェニル）プロパナール（例えば、NYMPHEAL）；（Ｅ）−３−フェニルプロパ−２−エン−１−オール（例えば、CINNAMIC ALCOHOL）；３−フェニルプロパン−１−オール（例えば、PHENYL PROPYL ALCOHOL）；（１−メチル−２−（５−メチルヘキサ−４−エン−２−イル）シクロプロピル）メタノール（例えば、ROSYFOLIA）；３，７−ジメチルオクタ−６−エン−１−オール（例えば、CITRONELLOL）；（Ｅ）−３，７−ジメチルオクタ−２，６−ジエン−１−オール（例えば、GERANIOL）；３−メチル−５−フェニルペンタン−１−オール（例えば、MEFROSOL）；酢酸２，２，２−トリクロロ−１−フェニルエチル（例えば、ROSACETOL）；２−シクロヘキシリデン−２−フェニルアセトニトリル（例えば、PEONILE）；２−メチル−４−フェニルブタン−２−オール（例えば、DIMETHYL PHENYL ETHYL CARBINOL）；およびそれらの混合物、から選択されるがこれに限定されない、長持ちするアンバー／ウッディおよびフローラル（Isoraldeine）の成分を含む。
【００８３】
本発明の別の態様において、以下を含むフレグランス組成物が提供される：
ａ）  フレグランス組成物の２０重量％未満が、２５℃で１５１〜９００マイクログラム／Ｌの間の平衡ヘッドスペース濃度を有するグループＡ成分として定義された香り成分からなる；ならびに
【００８４】
ｂ）  フレグランス組成物の４０重量％よりも多くが、２５℃で９００マイクログラム／Ｌよりも高い平衡ヘッドスペース濃度を有するグループＢの香り成分からなり、これは１５重量％よりも多くの、特に、２０重量％よりも多くの、さらに特には２５重量％よりも多くの、ヘキサン酸アリル（例えば、ALLYL CAPROATE）；ヘキサン酸エチル（例えば、ETHYL CAPROATE）；ヘプタン酸アリル（例えば、ALLYL OENANTHATE）；酢酸３−メチルブチル（例えば、ISOAMYL ACETATE）；酢酸３−メチルブタ−２−エン−１−イル（例えば、PRENYL ACETATE）；ブタン酸ペンチル（例えば、AMYL BUTYRATE）；６−メチルヘプタン−３−オン（例えば、ETHYL ISOAMYL KETONE）；ブタン酸３−メチルブチル（例えば、ISOAMYL BUTYRATE）；２−メチルプロパン酸４−メチルペンタ−４−エン−２−イル（例えば、ISOPENTYRATE）；ヘプタン−２−オン（例えば、METHYL AMYL KETONE）；ブタン酸エチル（例えば、ETHYL BUTYRATE）；２−メチルペンタン酸エチル（例えば、MANZANATE）；２−メチルブタン酸エチル（例えば、ETHYL METHYL-2-BUTYRATE）；
【００８５】
（４Ｓ）−４，７，７−トリメチル−６−チアビシクロ［３．２．１］オクタン（例えば、CORPS PAMPLEMOUSSE）；２−メチル−４−プロピル−１，３−オキサチアン（例えば、OXANE）；炭酸（Ｚ）−ヘキサ−３−エン−１−イルメチル（例えば、LIFFAROME）；酢酸（Ｚ）−ヘキサ−３−エン−１−イル（例えば、HEXENYL-3-CIS ACETATE）；酢酸へキシル（例えば、ACETATE C 6 HEXYLIC）；２，６−ジメチルヘプタ−５−エナール（例えば、MELONAL）；ベンズアルデヒド；ヘキサナール（例えば、ALDEHYDE C 6 HEXYLIC）；（Ｚ）−ヘキサ−３−エン−１−オール（例えば、HEXENOL-3-CIS）；４−ビニルシクロヘキサ−１−エンカルバルデヒド（例えば、SHISOLIA）；２，４−ジメチルシクロヘキサ−３−エンカルバルデヒド（例えば、CYCLAL C）；２，４−ジメチルシクロヘキサ−３−エンカルバルデヒド（例えば、TRICYCLAL）；７−メチル−３−メチレンオクタ−１，６−ジエン（例えば、MYRCENE）；（３Ｅ，５Ｚ）−ウンデカ−１，３，５−トリエン（例えば、UNDECATRIENE）；（２Ｅ，６Ｚ）−ノナ−２，６−ジエナール（例えば、NONADIENAL）；４−メチル−２−（２−メチルプロパ−１−エン−１−イル）テトラヒドロ−２Ｈ−ピラン（例えば、ROSE OXIDE）；およびそれらの混合物、から選択されるがこれに限定されない、初期のフルーティー／グリーン／ウォータリーな成分を含む；ならびに 
【００８６】
ｃ）  フレグランス組成物の４０重量％よりも多くが、２５℃で１５０マイクログラム／Ｌ以下の平衡ヘッドスペース濃度を有するグループＣの香り成分からなり、これは１５重量％よりも多くの、特に、２０重量％よりも多くの、さらに特には２５重量％よりも多くの、３−メトキシ−５−メチルフェノール（例えば、３−メトキシ−５−メチルフェノール（例えば、ORCINYL 3)）；（Ｚ）−１−（シクロオクタ−３−エン−１−イル）プロパン−１−オール（例えば、FLORYMOSS）；２，４−ジヒドロキシ−３，６−ジメチル安息香酸メチル（例えば、EVERNYL）；（１−メチル−２−（（（１Ｒ，３Ｒ）−２，２，３−トリメチルシクロペンチル）メチル）シクロプロピル）メタノール（例えば、PASHMINOL）；７−メトキシ−３，７−ジメチルオクタン−２−オール（例えば、OSYROL）；（Ｅ）−２−メチル−４−（２，２，３−トリメチル−１−シクロペンタ−３−エニル）ブタ−２−エン−１−オール（例えば、BRAHMANOL F）；（Ｅ）−３−メチル−５−（２，２，３−トリメチルシクロペンタ−３−エン−１−イル）ペンタ−４−エン−２−オール（例えば、EBANOL）；（１−メチル−２−（（１，２，２−トリメチルビシクロ［３．１．０］ヘキサン−３−イル）メチル）シクロプロピル）メタノール（例えば、JAVANOL）；
【００８７】
（Ｅ）−３，３−ジメチル−５−（２，２，３−トリメチル−３−シクロペンテン−１−イル）−４−ペンテン−２−オール（例えば、POLYSANTOL）；（Ｅ）−２−エチル−４−（２，２，３−トリメチルシクロペンタ−３−エン−１−イル）ブタ−２−エン−１−オール（例えば、RADJANOL)；３−（（１Ｒ，２Ｓ，４Ｒ，６Ｒ）−５，５，６−トリメチルビシクロ［２．２．１］ヘプタン−２−イル）シクロヘキサノール（例えば、SANDELA CONCENTRATED）；（Ｅ）−２−メチル−４−（２，２，３−トリメチル−１−シクロペンタ−３−エニル）ブタ−２−エン−１−オール（例えば、SANTACORE）；３−メチル−５−（２，２，３−トリメチルシクロペンタ−３−エン−１−イル）ペンタン−２−オール（例えば、SANDALORE）；酢酸４−（tert−ブチル）シクロヘキシル（例えば、BUTYL CYCLOHEXYL ACETATE PARA）；酢酸２−（tert−ペンチル）シクロヘキシル（例えば、CONIFERAN）；酢酸２−（４−メチルシクロヘキシル）プロパン−２−イル(例えば、MENTHANYL ACETATE）；（１Ｓ，２Ｒ，５Ｒ）−２−エトキシ−２，６，６−トリメチル−９−メチレンビシクロ［３．３．１］ノナン（例えば、BOISIRIS）；（（１Ｓ，８ａＲ）−１，４，４−トリメチル−２，３，３ａ，４，５，８−ヘキサヒドロ−１Ｈ−５，８ａ−メタノアズレン−６−イル）メタノール（例えば、CEDRENOL）；酢酸（１Ｓ，６Ｒ，８ａＲ）−１，４，４，６−テトラメチルオクタヒドロ−１Ｈ−５，８ａ−メタノアズレン−６−イル（例えば、CEDRYL ACETATE CRYSTALS）；酢酸２−（３，８−ジメチル−１，２，３，４，５，６，７，８−オクタヒドロアズレン−５−イル）プロパン−２−イル（例えば、GUAIYL ACETATE）；
【００８８】
１−（２，３，８，８−テトラメチル−１，２，３，４，５，６，７，８−オクタヒドロナフタレン−２−イル）エタノン（例えば、ISOCYCLEMONE E）；１−（２，３，８，８−テトラメチル−１，２，３，４，５，６，７，８−オクタヒドロナフタレン−２−イル）エタノン（例えば、ISO E SUPER）；４−（１−エトキシビニル）−３，３，５，５−テトラメチルシクロヘキサノン（例えば、KEPHALIS）；１−（１，２，８，８−テトラメチル−１，２，３，４，５，６，７，８−オクタヒドロナフタレン−２−イル）エタノン（例えば、GEORGYWOOD）；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、METHYL CEDRYL KETONE）；１−（（１Ｓ，８ａＳ）−１，４，４，６−テトラメチル−２，３，３ａ，４，５，８−ヘキサヒドロ−１Ｈ−５，８ａ−メタノアズレン−７−イル）エタノン（例えば、VERTOFIX COEUR）；Ｎ−エチル−Ｎ−（ｍ−トリル）プロピオンアミド（例えば、AGARBOIS）；１−（（２−（tert−ブチル）シクロヘキシル）オキシ）ブタン−２−オール（例えば、AMBER CORE）；３，８，８，１１ａ−テトラメチルドデカヒドロ−１Ｈ−３，５ａ−エポキシナフト［２，１−ｃ］オキセピン（例えば、AMBERKETAL）；（４ａＲ，５Ｒ，７ａＳ，９Ｒ）−オクタヒドロ−２，２，５，８，８，９ａ−ヘキサメチル−４Ｈ−４ａ，９−メタノアズレノ［５，６−ｄ］−１，３−ジオキソール（例えば、AMBROCENIDE）；(エトキシメトキシ)シクロドデカン（例えば、BOISAMBRENE FORTE）；
【００８９】
（４Ｚ，８Ｚ）−１，５，９−トリメチル−１３−オキサビシクロ［１０．１．０］トリデカ−４，８−ジエン（例えば、CEDROXYDE）；２−（２−（３，３，５−トリメチルシクロヘキシル）アセチル）シクロペンタノン（例えば、DIONE）；３ａ−エチル−６，６，９ａ−トリメチルドデカヒドロナフト［１，２−ｃ］フラン（例えば、GRISALVA）；５−（sec−ブチル）−２−（２，４−ジメチルシクロヘキサ−３−エン−１−イル）−５−メチル−１，３−ジオキサン（例えば、KARANAL）；酢酸２−（sec−ブチル）−１−メチルシクロヘキシル（例えば、METAMBRATE）；２，４−ジメチル−２−（５，５，８，８−テトラメチル−５，６，７，８−テトラヒドロナフタレン−２−イル）−１，３−ジオキソラン（例えば、OKOUMAL）；１−（２，２，６−トリメチルシクロヘキシル）ヘキサン−３−オール（例えば、TIMBEROL）；２’，２’，３，７，７−ペンタメチルスピロ［ビシクロ［４．１．０］ヘプタン−２，５’−［１，３］ジオキサン］（例えば、SPIRAMBRENE）；酢酸（７，７，８，８−テトラメチルオクタヒドロ−２，３ｂ−メタノシクロペンタ［１，３］シクロプロパ［１，２］ベンゼン−４−イル）メチル（例えば、AMBORYL ACETATE);（１Ｒ，２Ｓ，４Ｒ）−２’−イソプロピル−１，７，７−トリメチルスピロ［ビシクロ［２．２．１］ヘプタン−２，４’−［１，３］ジオキサン］（例えば、BELAMBRE）；（１Ｒ，６Ｓ，８ａＳ）−６−メトキシ−１，４，４，６−テトラメチルオクタヒドロ−１Ｈ−５，８ａ−メタノアズレン（例えば、CEDRYL METHYL ETHER）；ギ酸２，４ａ，５，８ａ−テトラメチル−１，２，３，４，４ａ，７，８，８ａ−オクタヒドロナフタレン−１−イル（例えば、OXYOCTALINE FORMATE）；パチュリー油；４，８ａ，９，９−テトラメチルデカヒドロ−１，６−メタノナフタレン−１−オール（例えば、PATCHOULI ALCOHOL）；
【００９０】
６−ペンチルテトラヒドロ−２Ｈ−ピラン−２−オン（例えば、６−ペンチルテトラヒドロ−２Ｈ−ピラン−２−オン（例えば、DECALACTONE DELTA））；５−ヘキシルオキソラン−２−オン（例えば、DECALACTONE GAMMA）；６−ヘプチルテトラヒドロ−２Ｈ−ピラン−２−オン（例えば、DODECALACTONE DELTA）；５−オクチルオキソラン−２−オン（例えば、DODECALACTONE GAMMA）；６−ヘキシルテトラヒドロ−２Ｈ−ピラン−２−オン（例えば、UNDECALACTONE DELTA）；６−プロピルテトラヒドロ−２Ｈ−ピラン−２−オン（例えば、OCTALACTONE DELTA）；５−ペンチルジヒドロフラン−２（３Ｈ）−オン（例えば、PRUNOLIDE）；４−メチル−５−ペンチルジヒドロフラン−２（３Ｈ）−オン（例えば、METHYL TUBERATE）；６−アセトキシヘキサン酸エチル（例えば、BERRYFLOR）；４−（４−ヒドロキシフェニル）ブタン−２−オン（例えば、RASPBERRY KETONE）；エチルメチルフェニルグリシダート（例えば、STRAWBERRY）；ブタン酸２−メチル−１−フェニルプロパン−２−イル（例えば、DIMETHYL BENZYL CARBINYL BUTYRATE）；（Ｅ）−１−（２，６，６−トリメチルシクロヘキサ−１−エン−１−イル）ブタ−２−エン−１−オン（例えば、DAMASCONE BETA）；およびそれらの混合物、から選択されるがこれに限定されない、長持ちするウッディ／ アンバー／ウッディ ／フルーティー（ピーチ／カシス／ココナッツ／ストロベリー）な成分を含む。
【００９１】
本発明によるフレグランス組成物は、溶媒、抗酸化剤、キレート化剤、保存料、染料などのもの等の種々の添加剤と混ぜ合わせられてもよい。さらに、本発明のフレグランス組成物は、カプセル化されていないが、特定の香り付けされた製品における使用のためにそうすることが望ましいのであれば、これは他のカプセル化されたフレグランス製剤と組み合わせられてもよい。
【００９２】
本発明によるフレグランス組成物は、ホームケア、パーソナルケアおよび衣類ケアにおける使用のための香り付けされた製品または物品の全ての様式における使用に適切である。
フレグランス組成物は、ホームケア、パーソナルケア（例として、化粧品）、および衣類ケアにおける使用のための香り付けされた製品または物品であって、硬表面、ヒトもしくは動物の皮膚もしくは毛、または衣類、等の基材に、湿潤状態で適用することが意図され、かつ基材上でドライダウンされることが意図されたものにおける使用のために特に適切である。
【００９３】
フレグランス組成物は、それらを組み込むことが意図される香り付けされた製品の性質、および香り付けされた製品の意図される用途に応じて、あらゆる適切なレベルで使用され得る。典型的な使用レベルは、香り付けされた製品の約０．０５〜２重量％、より好ましくは、香り付けされた製品の約０．１〜１重量％、を包含する。
【００９４】
本発明に関与される典型的な香り付けされた製品は、ホームケア製品、例えば硬表面クリーナー、ランドリーケア洗剤、ランドリーケアコンディショナー、衣類リフレッシャー、パーソナルケアクレンジング組成物、例えばシャンプー、浴用およびシャワージェル、液体石鹸、固形石鹸など、パーソナルケアコンディショニング組成物、例えばヘアケア組成物、浴用およびシャワー化粧水、デオドラント組成物、制汗剤組成物、ホームケア組成物、例えば硬表面クリーナー、強力洗剤などを包含する。
多くの場合において、とりわけ、ホームケアのカテゴリーにおいて、ランドリーケア、パーソナルケア、および消費者製品で本発明に関与されるものは、界面活性剤を含有する。
【００９５】
本発明の特定の態様において、フレグランス組成物、および、アニオン性、カチオン性、両性または非イオン性界面活性剤から選択される少なくとも１つの界面活性剤を含む、香り付けされた製品が提供される。典型的なアニオン性界面活性剤は、ラウリル硫酸ナトリウム、ラウレス硫酸ナトリウム、トリデセス硫酸ナトリウム、ラウリル硫酸アンモニウム、ラウレス硫酸アンモニウム、ラウレス硫酸カリウム、トリデシルベンゼンスルホン酸ナトリウム、ドデシルベンゼンスルホン酸ナトリウム、キシレンスルホン酸ナトリウム、ラウリル硫酸モノエタノールアミン、ラウレス硫酸モノエタノールアミン、ラウリル硫酸トリエタノールアミン、ラウレス硫酸トリエタノールアミン、ラウリルサルコシン、ココイルサルコシン、ラウリルサルコシン酸ナトリウム、ラウロイルサルコシン酸ナトリウム、ラウリル硫酸トリエチルアミン、ラウレス硫酸トリエチルアミン、ラウリル硫酸ジエタノールアミン、ラウレス硫酸ジエタノールアミン、ラウリン酸モノグリセリド硫酸ナトリウム、ココイル硫酸アンモニウム、ラウロイル硫酸アンモニウム、ココイル硫酸ナトリウム、ラウロイル硫酸ナトリウム、ココイルイセチオン酸ナトリウム、ココイル硫酸カリウム、ラウリル硫酸カリウム、ココイル硫酸モノエタノールアミン、ラウリル硫酸モノエタノールアミン、ラウリル硫酸トリエタノールアミン、ヒドロキシエチル−２−デシルエーテル硫酸ナトリウム塩、メチル−２−ヒドロキシデシルエーテル硫酸ナトリウム塩、ヒドロキシエチル−２−ドデシルエーテル硫酸ナトリウム塩、モノエトキシ化ラウリルアルキル硫酸ナトリウム塩、Ｃ１２〜Ｃ１８アルキルスルホン酸塩、エトキシ化またはネイティブの直鎖型および分枝型のＣ１２〜Ｃ１８アルコール硫酸塩、エトキシ化またはネイティブの直鎖型および分枝型のＣ１２〜Ｃ１８アルコール硫酸塩、およびそれらの混合物を包含するが、これに限定されない。
【００９６】
典型的なカチオン性界面活性剤は、１０〜２２個の炭素原子および任意にヒドロキシル基を含む、１つまたは２つのアルキル鎖、および、１〜４個の炭素を含む２〜３つのアルキル基、またはヒドロキシアルキルもしくはヒドロキシル基、またはアルコキシ基であって、典型的には約１〜約１０のエチレンオキシド部分を有するもの、および、ハリド、ヒドロキシド、アセタートおよびメチルスルファートの群から選択されるアニオンを有する第四級アンモニウム塩、例えばジ牛脂アルキルジメチル(またはジエチルまたはジヒドロキシエチル)アンモニウムクロリド、ジ牛脂アルキルジメチルアンモニウムメチルスルファート、メチル牛脂アルキルアミドエチル、ジ牛脂アルキルジメチルアンモニウムメチルスルファート、ジヘキサデシルアルキルジメチル（またはジエチル、またはジヒドロキシエチル）アンモニウムクロリド、ジオクタデシルアルキルジメチルアンモニウムクロリド、例えばDODMAC（ジオクタデシルジメチルアンモニウムクロリド）、およびジエイコシルアルキルジメチルアンモニウムクロリド、エチル牛脂アルキルイミダゾリニウムメチルスルファート、ジ牛脂アルキルジメチルアンモニウムメチルスルファート、メチル牛脂アルキルアミドエチル牛脂アルキルイミダゾリニウムメチルスルファート、
【００９７】
１つまたは２つのアルコキシアルキル鎖、１つまたは２つのアルキル基、および／または１つまたは２つのヒドロキシアルキル基を有する第四級アンモニウム塩、例えばいわゆるエステルクワット（Ｎ−メチル−Ｎ，Ｎ，ビス［２−（Ｃ１６〜Ｃ１８アセトキシ）エチル）］−Ｎ−（２−ヒドロキシエチル）アンモニウムメトスルファート）、ジエステルクワット（Ｎ，Ｎ，Ｎ−トリメチル−Ｎ−［１，２−ジ−（Ｃ１６〜Ｃ１８アシルオキシ）プロピルアンモニウム塩）、DEEDMAC（Ｎ，Ｎ−ジメチル−Ｎ，Ｎ−ビス（［２−（−［（１−オキソオクタデシル）オキシ］エチル）アンモニウムクロリド、HEQ（Ｎ，Ｎ，Ｎ−トリメチル−Ｎ−［（Ｚ）−２−ヒドロキシ−３−［（１−オキソ−オクタデカ−９−エニル）オキシ］］アンモニウムクロリド、TEAQ（Ｃ１０〜Ｃ２０飽和および不飽和脂肪酸とトリエタノールアミンとの間の反応生成物のジ四級化されたメチルスルファート塩）、アルキルベンジルジアルキルアンモニウムクロリド、ここで一方でアニオンはハリド（クロリドまたはブロミド等）、ヒドロキシ、エチルスルファート、アセタート、カルボナート、ニトラート、ホスファートおよびメチルカルボナートから選択される、を包含するが、これに限定されない。
【００９８】
典型的なカチオン生成性（cationogenic）界面活性剤は、第一級、第二級および第三級アミン、およびエトキシ化脂肪族アミン、例えばラウリミノプロピルジメチルアミン、ラウリミノエチルジメチルアミン、ミリスチルアミン、トリデシルアミン、Ｎ−オレイル−１，３−プロパンジアミン、エトキシ化Ｎ−牛脂−１，３−プロパンジアミンを包含するが、これに限定されない。
【００９９】
典型的な両性イオン性界面活性剤は、直鎖または分岐アルキル、またはアルケニル、またはヒドロキシアルキル、またはアルコキシのラジカルを有し、その１つが約８〜約１８個の炭素原子を有するものであり、およびそのもう１つがカルボキシル、スルホナート、スルファート、スクシナート、ホスファートまたはホスホナート基から選択されるアニオン基を含有するものであるような、脂肪族第四級アンモニウム、ホスホニウムおよびスルホニウム化合物の誘導体を包含するが、これに限定されない。アルコキシラジカルは、典型的には、約１〜約１０のエチレンオキシド部分または約１〜約３のグリセリル部分を包含する。ヒドロキシアルキルラジカルは、典型的には、１〜３個の炭素原子を有するアルキロール部分を含む。両性イオン性界面活性剤の特定のクラスは、ココジメチルカルボキシメチルベタイン、ラウリルジメチルカルボキシメチルベタイン、ラウリルジメチルα−カルボキシエチルベタイン、セチルジメチルカルボキシメチルベタイン、オレイルジメチルγ−カルボキシプロピルベタイン、ラウリルおよびステアリルビス−（２−ヒドロキシエチル）カルボキシメチルベタイン、オレイルジメチルγ−カルボキシプロピルベタイン、およびラウリルビス−（２−ヒドロキシプロピル）α−カルボキシエチルベタイン等の、少なくとも１つのメチレン基によって離された四級化カチオン性アンモニウム基およびアニオン性カルボキシラート基を含むベタインを包含する。他のベタインは、アルキル部分が典型的にエチルまたはプロピル部分であるアミドアルキル、スルホアルキルおよびアルキルアミドスルホベタイン、例えばココアミドプロピルベタイン、ココジメチルスルホプロピルベタイン、ラウリルジメチルスルホエチルベタイン、ラウリルビス−（２−ヒドロキシエチル）スルホプロピルベタインなどを包含する。
【０１００】
典型的な両性界面活性剤は、その一方が約８〜約１８の炭素原子を有し、その他方がカルボキシル、スルホナート、スルファート、スクシナート、ホスファートまたはホスホナート基から選択されるアニオン基を含有するものである、直鎖または分枝のアルキルまたはアルケニル基を有する、第一級、第二級および第三級アミンの誘導体、例えば３−ドデシルイミノプロピオン酸ナトリウム、３−ドデシルイミノプロパンスルホン酸ナトリウム、を包含するが、これに限定されない。
【０１０１】
非イオン性界面活性剤は、１〜２５のエチレンオキシド単位を有するＣ４〜Ｃ２２アルキルエトキシラート（いわゆるピークの狭い（narrow peaked）アルキルエトキシラート、特にエトキシラートおよび混合されたエトキシラート／プロポキシラートを包含する）、アルキルジアルキルアミンオキシド、アルキルポリグリコシド、アルカノイルグルコースアミド、およびそれらの混合物を包含するが、これに限定されない。非イオン性界面活性剤の具体的な例は、脂肪族アルコールの、約１〜約２２モルのエチレンオキシドとの縮合生成物である。Ｃ１１〜Ｃ１５直鎖第二級アルコールと９モルのエチレンオキシドとの縮合生成物、またはＣ１２〜Ｃ１４第一級アルコールと６モルのエチレンオキシドとの縮合生成物、またはＣ１４〜Ｃ１５直鎖アルコールと４モルのエチレンオキシドとの縮合生成物、またはＣ１３〜Ｃ１５アルコールと９モルのエチレンとの縮合生成物、またはＣ１３アルコールと２〜２１モルのエチレンオキシドとの縮合生成物などのように、脂肪族アルコールのアルキル鎖は直鎖または分岐、第一級または第二級のいずれであってもよく、および、一般的に約８〜約１８個の炭素原子を、好ましくはＣ８〜Ｃ１８（例として、Ｃ１０）を２〜１４モルのエチレンオキシドとともに含有する。非イオン性界面活性剤のこのカテゴリは、一般的に「アルキルエトキシラート類」と称される。
【０１０２】
非イオン性界面活性剤の他の例は、エチレンオキシドの、プロピレンオキシドとプロピレングリコールの縮合により形成された疎水性基材との、縮合生成物（例として、ＰＰＧ−１−ＰＥＧ−９ラウリルグリコールエーテル）を包含する。
非イオン性界面活性剤のさらなる例は、３〜３０のＥＯ単位（例えば、オレイン、ミリスチン、ステアリン、パルミチン酸などとのソルビトールエステルを包含する）を含有するポリエチレングリコールソルビトールエーテルである。
【０１０３】
非イオン性界面活性剤のさらなる例は、エチレンオキシド（ＥＯ）の、ポリエチレンオキシドとエチレンジアミンとの反応から得られた生成物との縮合生成物である。
半極性の非イオン性界面活性剤は、水溶性アミンオキシドを包含する、非イオン性界面活性剤の特別なカテゴリである。これらのアミンオキシド界面活性剤は特に、ＮＮ−ジヒドロキシエチル−Ｎ−ステアラミンオキシド、エトキシ化ラウラミドおよびラウリルジメチルアミンオキシド等の、Ｃ１０〜Ｃ１８アルキルジメチルアミンオキシドおよびＣ８〜Ｃ１２アルコキシエチルジヒドロキシエチルアミンオキシドを包含する。
【０１０４】
他の非イオン性界面活性剤は、例えば、Ｃ８〜Ｃ１０ポリグリコシド、例えばＣ１２〜Ｃ１６アルキルポリグリコシド、Ｃ８〜Ｃ１６アルキルポリグリコシド、Ｃ５アミルキシロシド）およびＣ５アミル、Ｃ８カプリル、Ｃ１２ラウリルの混合物を包含するアルキルポリグリコシドである。非イオン性の糖ベースの界面活性剤について本明細書中上記で使用した用語「アルキル」は、ヘキシル、オクチル、デカニル、ドデカニル、テトラデカニル、ヘキサデカニル、およびオクタデカニルを包含する、３〜２１個の炭素原子を有する飽和直鎖アルキル残基を指す。
【０１０５】
さらなる非イオン性界面活性剤は、例えば、ＰＥＧ４０またはＰＥＧ４００水素添加ヒマシ油を包含する。
さらなる非イオン性界面活性剤は、５〜２１の炭素原子を有するアルキル、アルケニルまたはヒドロキシアルケニル残基、および異なる数のグリセリル部分を有するグリセロールベースの界面活性剤、例えばオクタン酸ヘキサグリセリルエステル、デカン酸テトラグリセリルエステル、リシノール酸ヘキサグリセリルエステル、ココ酸（cocoic acids）テトラグリセリルエステル、およびそれらの混合物を包含する。
【０１０６】
本発明の香り付けされた製品は、酸または塩基、または、酸性源もしくはアルカリ性源とも称される酸性もしくはアルカリ性を提供する物質を包含し得る。酸または酸性源は、無機または有機であり得る。無機酸及び酸性源は、塩酸、スルファミン酸、リン酸などを包含し得る。有機酸または酸性源は、安息香酸、クエン酸、リンゴ酸などを包含し得る。塩基またはアルカリ性源もまた、無機または有機であり得る。無機塩基およびアルカリ性源は、水酸化ナトリウム、アンモニア、および、炭酸塩、リン酸塩などを含む塩を包含し得る。
本発明の香り付けされた製品は、水の硬度を低減するためのビルダー、例えばリン酸塩、ポリリン酸塩、ポリカルボン酸塩、クエン酸ナトリウム、炭酸ナトリウム、ケイ酸ナトリウム、アルミケイ酸ナトリウム(ゼオライト）などを包含し得る。
【０１０７】
多くの場合において、本発明の香り付けされた製品は液体であり、溶媒、充填剤、テクスチャリング剤、例えば増粘剤およびレオロジー助剤、分散助剤、再付着防止剤、保存料、脱臭剤、化粧品活性成分、表面向上剤等のさらなる添加剤を包含し得る。
本発明の特定の態様において、本明細書中で定義されたとおりのフレグランス組成物、および、水溶性溶媒、非水溶性溶媒または部分的水溶性溶媒から選択される少なくとも１つの溶媒を含む、香り付けされた製品が提供される。
【０１０８】
水溶性共溶媒は、エタノール、１−プロパノール、２−プロパノール、１−ブタノール、１，２−プロパンジオール、１，３−プロパンジオール、１，２−ブタンジオール、１，２−ペンタンジオール、１，２−ヘキサンジオール、１，２−ヘプタンジオール、２−メチル−ペンタン−２，４−ジオール、カルビトール、グリコールエーテル、例えばプロピレングリコール、ジプロピレングリコール、１，３−プロパンジオール、グリコールエステルおよびグリコールエーテル、例えばジプロピレングリコールメチルエーテルアセタート、ジプロピレングリコールメチルエーテル、プロピレングリコールｎ−ブチルエーテル、ジエチレングリコールブチルエーテル、へキシレングリコール、メチルメトキシブタノール、（＋／−）−２，２−ジメチル−４−ヒドロキシメチル−１，３−ジオキソラン、グリセリン、ジメチルイソソルビド、クエン酸トリエチル、およびそれらの混合物を包含するが、これに限定されない。
【０１０９】
非水溶性または一部不溶性の溶媒は、ミリスチン酸イソプロピル、ミリスチン酸メチル、アルキルエステル、例えばリノール酸メチル、パルミチン酸メチル、ラウリン酸エチル、リノール酸エチル、オレイン酸エチル、オクタン酸エチル、ジベンジルエーテルおよびフタル酸ジエチル、二塩基酸エステルＤＢＥ（グルタル酸ジイソブチル、コハク酸ジメチルおよびアジピン酸ジイソブチルから構成されるブレンドでありSolvayから市販されている、または、グルタル酸ジイソブチルおよびアジピン酸ジイソブチルから構成されるブレンドでありInvistaから市販されている）および炭化水素を包含するが、これに限定されない。
【０１１０】
本発明の特定の態様において、本発明のフレグランス組成物、および、レオロジー調節剤、増粘剤、ゲル形成剤、チキソトロピック剤、および分散剤から選択される少なくとも１つのテクスチャリング剤および／またはコロイド安定剤を含む、香り付けされた製品が提供される。
【０１１１】
これらのテクスチャリング剤および／またはコロイド安定剤は、典型的には、水溶性または部分的水溶性または表面活性ポリマーである。これらのポリマーは、四級化ヒドロキシエチルセルロール、ポリ（ジアリルアンモニウムクロリド−コ−アクリルアミド）、四級化グアーガム、ポリ（アクリルアミドプロピルトリメチルアンモニウムクロリド−コ−アクリルアミド）コポリマー、ポリ（メタクリルアミドプロピルトリメチルアンモニウムクロリド）、ポリエチレンイミン、ポリ［（３−メチル−１−ビニルイミダゾリウムメチルスルファート）−コ−（１−ビニルピロリドン）、カチオン性ポリアミン、カチオン性ポリアクリルアミド、ポリ（トリメチルアミノエチルメタアクリラート）、ポリ（ビニルアミン）、ポリ（ジメチルジアリルアンモニウムクロリド）、これはポリ（DADMAC）ともまた呼ばれる、キトサン、カルボキシメチルセルロース、キサンタンガム、アカシアガム、ガティガム、トラガカントガム、アラビアガム、アルギン酸ナトリウム、エトキシル化アルギナート、ゼラチン、デキストラン、ヒドロキシエチルセルロース、ヒドロキシプロピルセルロース、ヒドロキシプロピルメチルセルロース、ポリ（エチレンオキシド）、ポリ（エチレンオキシド−ｂ−プロピレンオキシド）ブロック−コポリマー、ポリアクリルアミド、ポリアクリル酸またはカルボマー、ポリアクリル酸ナトリウム、アクリラートコポリマー、アクリラートクロスポリマー−４、アクリラートクロスポリマー−３、ポリアクリラート−２クロスポリマ、およびポリアクリラート−１４、架橋されたアクリラート／Ｃ１０〜３０アルキルアクリラートコポリマー、ポリビニルアルコール、ポリビニルピロリドン、ペクチン、および修飾されたものを包含するが、これに限定されない。
【０１１２】
本発明の特定の態様において、本発明のフレグランス組成物、および、ジメチコーン、ポリ（ジメチルシロキサン）、アミノシリコーン、例えばアモジメチコン、トリアルキルアンモニウムシリコーン塩、エトキシ化シリコーンなどから選択されるがこれに限定されない少なくとも１つのシリコーンを含む、香り付けされた製品、例えば、ヘアケア製品が提供される。
【０１１３】
本発明の特定の態様において、本発明のフレグランス組成物、および、皮膚軟化剤、保湿剤、抗しわ剤、剥離剤、日焼け止剤、染料、顔料、タルカン、コンディショニング剤、ヘアスタイリング剤および抗ふけ剤から選択されるがこれに限定されない少なくとも１つの化粧品成分を含む、香り付けされた製品が提供される。
【０１１４】
本発明の特定の態様において、本発明のフレグランス組成物、ならびに、柔軟剤、光学的光沢剤および静電気防止剤から選択されるがこれに限定されない少なくとも１つの衣類用向上剤（fabric enhancing agent）を含む、香り付けされた製品が提供される。
【０１１５】
本発明の特定の態様において、本発明のフレグランス組成物、ならびに、ブチル化ヒドロキシアニソール（ＢＨＡ）、ブチル化ヒドロキシトルエン（ＢＨＴ）、チオジプロピオン酸ジラウリル、アルキルパラベン、トコフェロールなどから選択されるがこれに限定されない少なくとも１つの保存料を含む、香り付けされた製品が提供される。別の態様において、適切な保存料は、ベンゾイソチアゾロン（ＢＩＴ）、メチルイソチアゾロン（ＭＩＴ）および／またはラウリルアミンジプロピレンジアミン（ＢＤＡ）およびそれらの混合物、ならびにＮＮ’−ジヒドロキシメチル尿素および１，６−ジヒドロキシ−２，５−ジオキソ−ヘキサンの混合物の組み合わせを包含する。
【０１１６】
本発明の特定の態様において、本発明のフレグランス組成物、および、少なくとも１つの、亜鉛誘導体、精油、ウンデセン酸ナトリウム、ウンデセン酸メチル、2-ヒドロキシプロピルβシクロデキストリン、ソイエチルモルホリニウムエトスルファート、クロトナートおよびフマラート、および炭酸アルキレンから選択されるがこれに限られない脱臭剤を含む、香り付けされた製品が提供される。
【０１１７】
本発明の特定の態様において、本発明のフレグランス組成物、および、少なくとも１つの、αシクロデキストリン、βシクロデキストリン、γシクロデキストリンおよび／またはそれらの誘導体、および／またはそれらの混合物から選択されるがこれに限られない、可溶化された、水溶性であり錯体化されていないシクロデキストリン、を含む、香り付けされた製品、例えば、ホームケア製品が提供される。シクロデキストリン誘導体は、メトキシ、エトキシシクロデキストリン、ヒドロキシエチルシクロデキストリン、ヒドロキシプロピルシクロデキストリン、２−ヒドロキシ−３−（トリメチルアンモニウム）プロピルオキシシクロデキストリン等のカチオン性シクロデキストリン、カルボキシメチルメチルシクロデキストリンおよび硫酸シクロデキストリン等のアニオン性シクロデキストリンなどを包含するが、これに限定されない。
【０１１８】
本発明の１つの態様において、香り付けされた製品は、典型的に、約１〜約２５重量％の、または、好ましくは約２〜約２０重量％の、好ましくはナトリウムアルキルスルホン酸塩およびアルキルエトキシラート類から選択されるがこれに限られない、アニオン性および／または非イオン性界面活性剤；約１０重量％までの、好ましくは約６重量％までの石鹸、例として脂肪酸カルボン酸ナトリウム；約１５重量％までの、好ましくは約１０重量％までのアルカリ性源、例えば、炭酸ナトリウム；約１０重量％までの無機ビルダー、例えば、クエン酸ナトリウム−クエン酸混合物；約０〜約２重量％の有機ビルダー、例えば、ポリカルボン酸ナトリウム；約０．０００１〜約０．５重量％、好ましくは約０．０００３〜約０．１重量％の１種以上の保存料（単数または複数）；および、任意に、約５重量％までの１種以上の水溶性溶媒（単数または複数）、クエン酸、トリエタノールアミン、水酸化ナトリウム、水酸化カリウム、アンモニア、および／または油分、ならびに、フレグランス組成物を、０．０５〜２重量％、特に、約０．１〜１．５重量％、およびさらに特には約０．２５〜１重量％にて含む、汎用クリーナー（ＡＰＣ）である。
【０１１９】
本発明およびその利点をさらに詳述するために、以下の具体的な実施例および比較例が与えられているが、これらは単に例示的であり非限定的であるものとして意図されていることが理解される。
【実施例】
【０１２０】
例
以下の例は、例示の目的のためにのみ与えられており、本開示の精神と範囲から逸脱することなく本発明の多数の変形が可能であることから、これは本発明の限定として解釈されるべきものではない。
【０１２１】
例１  香料組成物
一連の香料を、グループＢおよびグループＣ成分の種々の組み合わせで、これらのグループ内の種々の対立する成分の組み合わせで調製した。これらの成分の特徴は、表２に示される。２つの比較例もまた示される。
【０１２２】
表２
対立するグループＢおよびＣ成分の割合
【表２−１】
2019529683.tif 000004
【表２−２】
2019529683.tif 000005
【表２−３】
2019529683.tif 000006
【０１２３】
例２  製品
硬表面クリーナーを、２重量％のHOSTAPUR SAS 60 （Ｃ１４−１７secアルキルスルホン酸Ｎａ）、２重量％のLUTENSOL TO 10（ＰＥＧ−１０−Ｃ１３オキソアルコール）、１重量％のトリエタノールアミン、０．３重量％のクエン酸、０．２重量％の水酸化ナトリウム、Parmetol DF 35（保存料）、ｘ重量％のフレグランス、および１００重量％に仕上げる脱イオン水を、混合することにより調製した。
フレグランスのレベルは、査定したサンプルに応じて、０．２５重量％〜０．６５重量％の間でさまざまであった（例３を参照）。
【０１２４】
例３  匂いの評価・査定結果
試験は、一定の空気流を有する特別に設計された小さいブース（１０ｍ３ブース、２１℃、５０％ＲＨ）の中で実施された。ブースは、試験の間、扉を密閉して閉じられた。
適用サンプルは、評価のすぐ直前に、６０ｍｌの純生成物を、１０Ｌモップバケツ内に入った４５℃の温度を有する５Ｌ（１．２体積％）の水中へと注ぐことによって調整した。溶液を、モップとバケツによって５回攪拌し、モップは、評価の間、ブース中に残しておいた。
適用サンプルの後の１時間、生成物を温かい水道水中（４５℃で）１．２体積％で希釈し、これは評価の１時間前であった。この希釈した生成物の６０ｍｌを、ブースの床に直接、適用した。手袋をはめた手を使用して、６５ｃｍ×６５ｃｍの面積にわたって均等にそれを広げた。これらのブースにはまた、いずれの生成物も含有しないモップとバケツも入れることで、全てのブースが同じように見えることを確実にした。
【０１２５】
各々のサンプルに、ランダムなコード番号でコードを付けた。パネリストによって評価されるサンプルの順番は、十分にバランスの取れたランダム化を使用して予め決定した。
系は、ブースのポートホール（窓）を通して評価された。パネリストは、３つのサンプルを２セット提示され、各々の３個組中、２つのサンプルが同一であり、１つは異なるということを教えられた。十分にバランスの取れた予め決定されたランダム化に従って、３個組の各々のサンプルの匂いを嗅ぎ、パネリストは、仲間外れのサンプルを選択するように教えられた。
匂いの強度は、線形目盛（０〜１００）上であった。
結果は、表３に報告される。
【０１２６】
表３
官能検査の結果
【表３】
2019529683.tif 000007
【図１】
2019529683.tif 000008
【国際調査報告】
2019529683.tif 000009
2019529683.tif 000010
2019529683.tif 000011
2019529683.tif 000012
2019529683.tif 000013
2019529683.tif 000014
2019529683.tif 000015